(57)【要約】【課題】対象物への焦点合せ及び対象物の撮像が行われやすい撮像補助装置およびそれを備える撮像装置および／または映像を写しやすくさせる映像補助装置およびそれを備える映像装置を提供する。【解決手段】光を発する発光素子１０Ａと、光を対象物に当てやすくする光学部材２０Ａと、発光素子１０Ａの角度を調整可能な螺合部材５０Ａと、発光素子１０Ａの角度を調整可能な弾性部材７０Ａと、発光素子１０Ａを収容可能な箱部９０Ａとを備える撮像／映像補助装置１を構成させることにより、例えば対象物に照射されている光の深度調整などが容易に行われる。撮像／映像補助装置１は、光により特定の位置を照射可能なガイドポインタＰ１を含むことにより、対象物は、撮像／映像補助装置１により容易に捉えられる。前記撮像／映像補助装置１を有する撮像／映像装置１０１を構成させることにより、対象物への焦点合せを容易に行わせやすくさせることができる。【選択図】図１
2009153119.tif 000002
【特許請求の範囲】
【請求項１】
コヒーレント光を発する光源を少なくとも備えることを特徴とする撮像／映像補助装置。
【請求項２】
光を発する光源と、
該光源の角度を調整可能な調整部材と、
を備えることを特徴とする撮像／映像補助装置。
【請求項３】
光を発する発光素子と、
該光を対象物に当てやすくする光学部材と、
該発光素子の角度を調整可能な調整可能部材と、
該発光素子の該角度を調整可能な調整部材と、
を備えることを特徴とする撮像／映像補助装置。
【請求項４】
前記調整可能部材が前記調整部材に接触可能とされたことを特徴とする請求項３に記載の撮像／映像補助装置。
【請求項５】
前記調整部材として、略矩形箱状もしくは略台形箱状の弾性部材が用いられたことを特徴とする請求項３又は４に記載の撮像／映像補助装置。
【請求項６】
前記調整部材は、
前記発光素子を装着可能な第一片部と、
前記光学部材を装着可能な第二片部と、
前記調整可能部材が接触可能な可撓性の第三片部と、
を少なくとも備えることを特徴とする請求項３〜５の何れか１項に記載の撮像／映像補助装置。
【請求項７】
前記光は、可視光とされたことを特徴とする請求項３〜６の何れか１項に記載の撮像／映像補助装置。
【請求項８】
前記光を照射可能なガイドポインタを含むことを特徴とする請求項３〜７の何れか１項に記載の撮像／映像補助装置。
【請求項９】
光を発する発光素子と、
該光を対象物に当てやすくする光学部材と、
該発光素子の角度を調整可能な螺合部材と、
該発光素子の該角度を調整可能な弾性部材と、
該発光素子を収容可能な箱部と、
を備えることを特徴とする撮像／映像補助装置。
【請求項１０】
前記発光素子と前記光学部材とが前記弾性部材に装着されると共に、前記箱部に該弾性部材が装着され、且つ、該箱部に装着された前記螺合部材が該弾性部材に接触可能とされたことを特徴とする請求項９に記載の撮像／映像補助装置。
【請求項１１】
前記弾性部材として、板材が折り曲げられることにより形成された略矩形箱状もしくは略台形箱状のばねが用いられたことを特徴とする請求項９又は１０に記載の撮像／映像補助装置。
【請求項１２】
前記弾性部材は、
前記発光素子を装着可能な第一片部と、
前記光学部材を装着可能な第二片部と、
該第一片部および該第二片部と異なる角度とされ前記螺合部材が接触可能な可撓性の第三片部と、
を少なくとも備えることを特徴とする請求項９〜１１の何れか１項に記載の撮像／映像補助装置。
【請求項１３】
前記光は、肉眼での確認が可能な可視光とされたことを特徴とする請求項９〜１２の何れか１項に記載の撮像／映像補助装置。
【請求項１４】
前記光により特定の位置を照射可能なガイドポインタを含むことを特徴とする請求項９〜１３の何れか１項に記載の撮像／映像補助装置。
【請求項１５】
請求項１〜１４の何れか１項に記載の撮像／映像補助装置を有することを特徴とする撮像／映像装置。
【発明の詳細な説明】
【技術分野】
【０００１】
本発明は、例えば対象物に光を照射可能な撮像／映像補助装置およびそれを備える撮像／映像装置に関するものである。
【背景技術】
【０００２】
カメラ等の撮像装置として、一般に例えばＣＣＤカメラが使用される。ＣＣＤ（Ｃｈａｒｇｅ  Ｃｏｕｐｌｅｄ  Ｄｅｖｉｃｅ）とは、電荷結合素子を意味する。例えば、軽量であり、従来に比較して操作性に優れた調査用ＣＣＤカメラセットが提案されている（例えば、特許文献１参照。）。
【０００３】
また、映像装置として、例えば液晶プロジェクタが使用される。例えば、自動車内及び移動先の任意の場所で大画面表示を行うことが可能とされた車載用液晶プロジェクタいわゆる投写型映像表示装置が提案されている（例えば、特許文献２参照。）。
【特許文献１】特開２０００−１９４０４０号公報（第１，２頁、第１−８図）
【特許文献２】特開平１０−３０１２００号公報（第１，５頁、第１−９図）
【発明の開示】
【発明が解決しようとする課題】
【０００４】
しかしながら、上記従来のＣＣＤカメラ等の撮像装置にあっては、例えば撮像装置のピントを合わせつつ撮像装置の向きを固定させるために、依然として難しい作業が伴うということが懸念されていた。
【０００５】
また、上記従来の液晶プロジェクタ等の映像装置にあっては、例えば映像装置のピントを合わせつつ映像装置の向きを固定させるために、依然として難しい作業が伴うということが懸念されていた。
【課題を解決するための手段】
【０００６】
本発明の請求項１に係る撮像／映像補助装置は、コヒーレント光を発する光源を少なくとも備えることを特徴とする。
【０００７】
上記構成により、光源から発せられるコヒーレント光が対象物に照射可能となる。例えば対象物に照射される光の深度調整などが容易に行われる撮像／映像補助装置の提供が可能となる。コヒーレンスとは、例えば光波長の干渉のしやすさを示す度合いを意味する。また、コヒーレント光とは、例えば波長と位相とがそろえられた可干渉の波とされる。
【０００８】
請求項２に係る撮像／映像補助装置は、光を発する光源と、該光源の角度を調整可能な調整部材と、を備えることを特徴とする。
【０００９】
上記構成により、光源から発せられた光は、調整部材により調整されて対象物に当てられる。例えば対象物に照射されている光の深度調整などが容易に行われる撮像／映像補助装置の提供が可能となる。
【００１０】
請求項３に係る撮像／映像補助装置は、光を発する発光素子と、該光を対象物に当てやすくする光学部材と、該発光素子の角度を調整可能な調整可能部材と、該発光素子の該角度を調整可能な調整部材と、を備えることを特徴とする。
【００１１】
上記構成により、発光素子から発せられた光は、調整可能部材、調整部材により調整さ
れて対象物に当てられる。例えば対象物に照射されている光の深度調整などが容易に行われる撮像／映像補助装置の提供が可能となる。
【００１２】
請求項４に係る撮像／映像補助装置は、請求項３に記載の撮像／映像補助装置において、前記調整可能部材が前記調整部材に接触可能とされたことを特徴とする。
【００１３】
上記構成により、対象物への焦点合せが行われやすくなる。調整部材は、発光素子の角度を調整可能な調整部材とされ、また、調整可能部材が調整部材に接触可能とされているので、例えば撮像／映像装置が用いられて対象物への焦点合せが行われるときに、対象物の光の深度調整などが容易に行われやすくなる。調整可能部材が回動させられることにより発光素子の角度が調整され、光を対象物に当てやすくする光学部材により、光学部材を透った光は、対象物に対して調整されつつ対象物に照射される。調整可能部材が回動させられて調整部材が押動等させられることにより発光素子の角度が調整され、光学部材により、例えば対象物に照射されている光の対象物の深度調整などが容易に行われる。
【００１４】
請求項５に係る撮像／映像補助装置は、請求項３又は４に記載の撮像／映像補助装置において、前記調整部材として、略矩形箱状もしくは略台形箱状の弾性部材が用いられたことを特徴とする。
【００１５】
上記構成により、調整部材は適度に弾性変形されやすくなる。調整部材として略矩形箱状もしくは略台形箱状の弾性部材が用いられているので、発光素子の角度を調整可能な調整可能部材が略矩形箱状もしくは略台形箱状の弾性部材に接触しても、略矩形箱状もしくは略台形箱状の弾性部材が例えば著しく塑性変形するということは回避されやすくなり、略矩形箱状もしくは略台形箱状の弾性部材は、良好に弾性変形されやすくなる。略矩形箱状もしくは略台形箱状の弾性部材が適度に弾性変形することにより、発光素子の角度が調整されやすくなる。
【００１６】
請求項６に係る撮像／映像補助装置は、請求項３〜５の何れか１項に記載の撮像／映像補助装置において、前記調整部材は、前記発光素子を装着可能な第一片部と、前記光学部材を装着可能な第二片部と、前記調整可能部材が接触可能な可撓性の第三片部と、を少なくとも備えることを特徴とする。
【００１７】
上記構成により、発光素子から発せられた光は、光学部材を透り対象物に当てられやすくなる。発光素子の角度を調整可能な調整部材の可撓性の第三片部に接触可能な調整可能部材が回動させられて、発光素子を備えた調整部材の第三片部が押圧変形または復元回復等させられることにより、調整部材の第一片部に装着された発光素子の角度が調整される。調整部材の第一片部に装着された発光素子から出射される光は、角度調整が行われつつ、調整部材の第二片部に装着された光学部材を透ることにより、比較的精度よく対象物に当てられることとなる。
【００１８】
請求項７に係る撮像／映像補助装置は、請求項３〜６の何れか１項に記載の撮像／映像補助装置において、前記光は、可視光とされたことを特徴とする。
【００１９】
上記構成により、対象物への焦点合せは容易に行われやすくなる。対象物への焦点合せが行われるときに、撮像／映像補助装置の発光素子から可視光が出射される。この可視光を対象物に照射させる。撮像／映像補助装置の発光素子から出射された可視光は、対象物に照射されると共に反射される。そのときに、対象物から反射された可視光は、撮像／映像補助装置により対象物が容易に捉えられる。
【００２０】
請求項８に係る撮像／映像補助装置は、請求項３〜７の何れか１項に記載の撮像／映像
補助装置において、前記光を照射可能なガイドポインタを含むことを特徴とする。
【００２１】
上記構成により、対象物への焦点合せは、比較的精度よく容易に行われる。例えば撮像／映像装置に装備される撮像／映像補助装置は、光を照射可能なガイドポインタを含む構成とされているので、ガイドポインタの発光素子から出射される光を対象物に当てることにより、対象物は、撮像／映像補助装置により容易に捉えられる。
【００２２】
請求項９に係る撮像／映像補助装置は、光を発する発光素子と、該光を対象物に当てやすくする光学部材と、該発光素子の角度を調整可能な螺合部材と、該発光素子の該角度を調整可能な弾性部材と、該発光素子を収容可能な箱部と、を備えることを特徴とする。
【００２３】
上記構成により、発光素子から発せられた光は、螺合部材、弾性部材などにより調整されて対象物に当てられる。例えば対象物に照射されている光の深度調整などが容易に行われる撮像／映像補助装置の提供が可能となる。
【００２４】
請求項１０に係る撮像／映像補助装置は、請求項９に記載の撮像／映像補助装置において、前記発光素子と前記光学部材とが前記弾性部材に装着されると共に、前記箱部に該弾性部材が装着され、且つ、該箱部に装着された前記螺合部材が該弾性部材に接触可能とされたことを特徴とする。
【００２５】
上記構成により、対象物への焦点合せが行われやすくなる。光を発する発光素子と、光を対象物に当てやすくする光学部材とが弾性部材に装着され、この弾性部材は、発光素子の角度を調整可能な弾性部材とされ、また、この弾性部材は、発光素子を収容可能な箱部に装着され、さらに、発光素子の角度を調整可能な螺合部材が箱部に装着され、螺合部材が弾性部材に接触可能とされているので、例えば撮像／映像装置が用いられて対象物への焦点合せが行われるときに、対象物の光の深度調整などが容易に行われやすくなる。螺合部材が回動させられることにより発光素子の角度が調整され、光を対象物に当てやすくする光学部材により、光学部材を透った光は、対象物に対して調整されつつ対象物に照射される。箱部に装着され、発光素子の角度を調整可能な弾性部材に接触している螺合部材が回動させられて、箱部に装着されている発光素子を備えた弾性部材が押動等させられることにより、弾性部材に装着された発光素子の角度が調整され、光を対象物に当てやすくする光学部材により、例えば対象物に照射されている光の対象物の深度調整などが容易に行われる。
【００２６】
請求項１１に係る撮像／映像補助装置は、請求項９又は１０に記載の撮像／映像補助装置において、前記弾性部材として、板材が折り曲げられることにより形成された略矩形箱状もしくは略台形箱状のばねが用いられたことを特徴とする。
【００２７】
上記構成により、弾性部材は適度に弾性変形されやすくなる。弾性部材として、板材が折り曲げられることにより形成された略矩形箱状もしくは略台形箱状のばねが用いられているので、発光素子の角度を調整可能な螺合部材が、略矩形箱状もしくは略台形箱状のばねに接触しても、略矩形箱状もしくは略台形箱状のばねが例えば著しく塑性変形するということは回避されやすくなり、略矩形箱状もしくは略台形箱状のばねは、良好に弾性変形されやすくなる。略矩形箱状もしくは略台形箱状のばねが適度に弾性変形することにより、略矩形箱状もしくは略台形箱状のばねに装着された発光素子の角度が調整されやすくなる。
【００２８】
請求項１２に係る撮像／映像補助装置は、請求項９〜１１の何れか１項に記載の撮像／映像補助装置において、前記弾性部材は、前記発光素子を装着可能な第一片部と、前記光学部材を装着可能な第二片部と、該第一片部および該第二片部と異なる角度とされ前記螺
合部材が接触可能な可撓性の第三片部と、を少なくとも備えることを特徴とする。
【００２９】
上記構成により、発光素子から発せられた光は、光学部材を透り対象物に当てられやすくなる。箱部に装着され発光素子の角度を調整可能な弾性部材の可撓性の第三片部に接触可能な螺合部材が回動させられて、箱部に装着されている発光素子を備えた弾性部材の第三片部が押圧変形または復元回復等させられることにより、弾性部材の第一片部に装着された発光素子の角度が調整される。弾性部材の第一片部に装着された発光素子から出射される光は、角度調整が行われつつ、弾性部材の第二片部に装着された光学部材を透ることにより、比較的精度よく対象物に当てられることとなる。
【００３０】
請求項１３に係る撮像／映像補助装置は、請求項９〜１２の何れか１項に記載の撮像／映像補助装置において、前記光は、肉眼での確認が可能な可視光とされたことを特徴とする。
【００３１】
上記構成により、対象物への焦点合せは容易に行われやすくなる。対象物への焦点合せが行われるときに、撮像／映像補助装置の発光素子から可視光が出射される。この可視光を対象物に照射させる。撮像／映像補助装置の発光素子から出射された可視光は、対象物に照射されると共に反射される。そのときに、対象物から反射された可視光は肉眼で確認できるので、撮像／映像補助装置により対象物が容易に捉えられる。
【００３２】
請求項１４に係る撮像／映像補助装置は、請求項９〜１３の何れか１項に記載の撮像／映像補助装置において、前記光により特定の位置を照射可能なガイドポインタを含むことを特徴とする。
【００３３】
上記構成により、対象物への焦点合せは、比較的精度よく容易に行われる。例えば撮像／映像装置に装備される撮像／映像補助装置は、光により特定の位置を照射可能なガイドポインタを含む構成とされているので、ガイドポインタの発光素子から出射される光を対象物に当てることにより、対象物は、撮像／映像補助装置により容易に捉えられる。
【００３４】
請求項１５に係る撮像／映像装置は、請求項１〜１４の何れか１項に記載の撮像／映像補助装置を有することを特徴とする。
【００３５】
上記構成により、対象物への焦点合せが行われやすくされた撮像／映像装置の提供が可能となる。対象物への焦点合せが行われるときに、対象物への焦点合せを行わせやすくする撮像／映像補助装置を有する撮像／映像装置が構成されることにより、対象物への焦点合せが容易に行われやすくなる。具体的に説明すると、対象物への焦点合せが行われるときに、対象物への焦点合せを行わせやすくする撮像補助装置を有する撮像装置が構成されることにより、対象物への焦点合せが容易に行われやすくなる。また、対象物への焦点合せが行われるときに、対象物への焦点合せを行わせやすくする映像補助装置を有する映像装置が構成されることにより、対象物への焦点合せが容易に行われやすくなる。
【発明の効果】
【００３６】
以上の如く、請求項１に記載の発明によれば、光源から発せられるコヒーレント光が対象物に照射可能となる。例えば対象物に照射される光の深度調整などが容易に行われる撮像／映像補助装置を提供することができる。
【００３７】
請求項２に記載の発明によれば、光源から発せられた光は、調整部材により調整されて対象物に当てられる。例えば対象物に照射されている光の深度調整などが容易に行われる撮像／映像補助装置を提供することができる。
【００３８】
請求項３に記載の発明によれば、発光素子から発せられた光は、調整可能部材、調整部材により調整されて対象物に当てられる。例えば対象物に照射されている光の深度調整などが容易に行われる撮像／映像補助装置を提供することができる。
【００３９】
請求項４に記載の発明によれば、対象物への焦点合せを行わせやすくさせることができる。調整部材は、発光素子の角度を調整可能な調整部材とされ、また、調整可能部材が調整部材に接触可能とされているので、例えば撮像／映像装置が用いられて対象物への焦点合せが行われるときに、対象物の光の深度調整などが容易に行われやすくなる。調整可能部材が回動させられることにより発光素子の角度が調整され、光を対象物に当てやすくする光学部材により、光学部材を透った光は、対象物に対して調整されつつ対象物に照射される。調整可能部材が回動させられて調整部材が押動等させられることにより発光素子の角度が調整され、光学部材により、例えば対象物に照射されている光の対象物の深度調整などが容易に行われる。
【００４０】
請求項５に記載の発明によれば、調整部材を適度に弾性変形させやすくすることができる。調整部材として略矩形箱状もしくは略台形箱状の弾性部材が用いられているので、発光素子の角度を調整可能な調整可能部材が略矩形箱状もしくは略台形箱状の弾性部材に接触しても、略矩形箱状もしくは略台形箱状の弾性部材が例えば著しく塑性変形するということは回避されやすくなり、略矩形箱状もしくは略台形箱状の弾性部材は、良好に弾性変形されやすくなる。略矩形箱状もしくは略台形箱状の弾性部材が適度に弾性変形することにより、発光素子の角度が調整されやすくなる。
【００４１】
請求項６に記載の発明によれば、発光素子から発せられた光は、光学部材を透り対象物に当てられやすくなる。発光素子の角度を調整可能な調整部材の可撓性の第三片部に接触可能な調整可能部材が回動させられて、発光素子を備えた調整部材の第三片部が押圧変形または復元回復等させられることにより、調整部材の第一片部に装着された発光素子の角度が調整される。調整部材の第一片部に装着された発光素子から出射される光は、角度調整が行われつつ、調整部材の第二片部に装着された光学部材を透ることにより、比較的精度よく対象物に当てられる。
【００４２】
請求項７に記載の発明によれば、対象物への焦点合せを容易に行わせやすくさせることができる。対象物への焦点合せが行われるときに、撮像／映像補助装置の発光素子から可視光が出射される。この可視光を対象物に照射させる。撮像／映像補助装置の発光素子から出射された可視光は、対象物に照射されると共に反射される。そのときに、対象物から反射された可視光は、撮像／映像補助装置により対象物が容易に捉えられる。
【００４３】
請求項８に記載の発明によれば、対象物への焦点合せを比較的精度よく容易に行わせることができる。例えば撮像／映像装置に装備される撮像／映像補助装置は、光を照射可能なガイドポインタを含む構成とされているので、ガイドポインタの発光素子から出射される光を対象物に当てることにより、対象物は、撮像／映像補助装置により容易に捉えられる。
【００４４】
請求項９に記載の発明によれば、発光素子から発せられた光は、螺合部材、弾性部材などにより調整されて対象物に当てられる。例えば対象物に照射されている光の深度調整などが容易に行われる撮像／映像補助装置を提供することができる。
【００４５】
請求項１０に記載の発明によれば、対象物への焦点合せを行わせやすくさせることができる。光を発する発光素子と、光を対象物に当てやすくする光学部材とが弾性部材に装着され、この弾性部材は、発光素子の角度を調整可能な弾性部材とされ、また、この弾性部材は、発光素子を収容可能な箱部に装着され、さらに、発光素子の角度を調整可能な螺合
部材が箱部に装着され、螺合部材が弾性部材に接触可能とされているので、例えば撮像／映像装置が用いられて対象物への焦点合せが行われるときに、対象物の光の深度調整などが容易に行われやすくなる。螺合部材が回動させられることにより発光素子の角度が調整され、光を対象物に当てやすくする光学部材により、光学部材を透った光は、対象物に対して調整されつつ対象物に照射される。箱部に装着され、発光素子の角度を調整可能な弾性部材に接触している螺合部材が回動させられて、箱部に装着されている発光素子を備えた弾性部材が押動等させられることにより、弾性部材に装着された発光素子の角度が調整され、光を対象物に当てやすくする光学部材により、例えば対象物に照射されている光の対象物の深度調整などが容易に行われる。
【００４６】
請求項１１に記載の発明によれば、弾性部材を適度に弾性変形させやすくすることができる。弾性部材として、板材が折り曲げられることにより形成された略矩形箱状もしくは略台形箱状のばねが用いられているので、発光素子の角度を調整可能な螺合部材が、略矩形箱状もしくは略台形箱状のばねに接触しても、略矩形箱状もしくは略台形箱状のばねが例えば著しく塑性変形するということは回避されやすくなり、略矩形箱状もしくは略台形箱状のばねは、良好に弾性変形されやすくなる。略矩形箱状もしくは略台形箱状のばねが適度に弾性変形することにより、略矩形箱状もしくは略台形箱状のばねに装着された発光素子の角度が調整されやすくなる。
【００４７】
請求項１２に記載の発明によれば、発光素子から発せられた光は、光学部材を透り対象物に当てられやすくなる。箱部に装着され発光素子の角度を調整可能な弾性部材の可撓性の第三片部に接触可能な螺合部材が回動させられて、箱部に装着されている発光素子を備えた弾性部材の第三片部が押圧変形または復元回復等させられることにより、弾性部材の第一片部に装着された発光素子の角度が調整される。弾性部材の第一片部に装着された発光素子から出射される光は、角度調整が行われつつ、弾性部材の第二片部に装着された光学部材を透ることにより、比較的精度よく対象物に当てられる。
【００４８】
請求項１３に記載の発明によれば、対象物への焦点合せを容易に行わせやすくさせることができる。対象物への焦点合せが行われるときに、撮像／映像補助装置の発光素子から可視光が出射される。この可視光を対象物に照射させる。撮像／映像補助装置の発光素子から出射された可視光は、対象物に照射されると共に反射される。そのときに、対象物から反射された可視光は肉眼で確認できるので、撮像／映像補助装置により対象物が容易に捉えられる。
【００４９】
請求項１４に記載の発明によれば、対象物への焦点合せを比較的精度よく容易に行わせることができる。例えば撮像／映像装置に装備される撮像／映像補助装置は、光により特定の位置を照射可能なガイドポインタを含む構成とされているので、ガイドポインタの発光素子から出射される光を対象物に当てることにより、対象物は、撮像／映像補助装置により容易に捉えられる。
【００５０】
請求項１５に記載の発明によれば、対象物への焦点合せが行われやすくされた撮像／映像装置を提供することができる。対象物への焦点合せが行われるときに、対象物への焦点合せを行わせやすくする撮像／映像補助装置を有する撮像／映像装置が構成されることにより、対象物への焦点合せを容易に行わせやすくさせることができる。具体的に説明すると、対象物への焦点合せが行われるときに、対象物への焦点合せを行わせやすくする撮像補助装置を有する撮像装置が構成されることにより、対象物への焦点合せを容易に行わせやすくさせることができる。また、対象物への焦点合せが行われるときに、対象物への焦点合せを行わせやすくする映像補助装置を有する映像装置が構成されることにより、対象物への焦点合せを容易に行わせやすくさせることができる。
【発明を実施するための最良の形態】
【００５１】
以下に本発明に係る撮像／映像補助装置およびそれを備える撮像／映像装置の実施形態を図面に基づいて詳細に説明する。
【実施例１】
【００５２】
図１は、本発明に係る撮像／映像補助装置およびそれを備える撮像／映像装置の第一の実施形態を示す説明図、図２は、撮像／映像補助装置を示す縦断面図、図３は、撮像／映像補助装置の一部を示す斜視図、図４は、同じく撮像／映像補助装置の一部を示す斜視図、図５は、撮像／映像補助装置の一部を示す分解斜視図である。
【００５３】
撮像補助装置１を構成する発光素子１０Ａは、光を出射する発光部（図示せず）が内装された本体１１と、不図示の発光素子に通電可能に接続されると共に外部のものに通電可能に接続される複数の端子１５とを備えて構成される。また、この発光素子１０Ａは、例えば「カンタイプ」の発光素子１０Ａとして構成されている。
【００５４】
撮像補助装置１を構成する発光素子１０Ａとして、例えばレーザ光（ＬＡＳＥＲ：ｌｉｇｈｔ  ａｍｐｌｉｆｉｃａｔｉｏｎ  ｂｙ  ｓｔｉｍｕｌａｔｅｄ  ｅｍｉｓｓｉｏｎ
ｏｆ  ｒａｄｉａｔｉｏｎ）を出射可能なレーザダイオード（ＬＤ：ｌａｓｅｒ  ｄｉｏｄｅ）が用いられる。ＬＤが用いられたときの発光素子１０Ａについて詳しく説明すると、発光素子１０Ａとして、例えば波長３８０〜８３０ｎｍ（ナノメートル）、好ましくは波長４００ｎｍを超え７８０ｎｍ未満の波長光を出射可能なＬＤが用いられる。具体的には、発光素子１０Ａとして、例えば波長６３０〜６８５ｎｍ、基準とされる波長が例えば６３５ｎｍまたは６５０ｎｍの赤色レーザ光を出射可能なＬＤが用いられる。また、発光素子１０Ａとして、例えば波長３８０ｎｍ〜４５０ｎｍ、好ましくは例えば波長４００ｎｍを超え４５０ｎｍ以下、基準とされる波長が例えば４０５ｎｍの青紫色レーザ光を出射可能なＬＤが用いられる。
【００５５】
また、撮像補助装置１を構成する発光素子１０Ａとして、例えばＬＥＤ光（ＬＥＤ：ｌｉｇｈｔ  ｅｍｉｔｔｉｎｇ  ｄｉｏｄｅ）を出射可能なＬＥＤが用いられる。詳しく説明すると、発光素子１０Ａとして、例えば波長３８０〜８３０ｎｍ、好ましくは波長４００ｎｍを超え７８０ｎｍ未満の波長光を出射可能なＬＥＤダイオードが用いられる。具体的には、発光素子１０Ａとして、例えば波長６３０〜６８５ｎｍ、基準とされる波長が例えば６６０ｎｍの赤色ＬＥＤ光を出射可能なＬＥＤダイオードが用いられる。
【００５６】
発光素子１０Ａは、例えばレーザ光および／またはＬＥＤ光を出射可能な光源として構成されている。例えば発光素子１０Ａは、コヒーレント可視光を出射可能な光源として構成されている。コヒーレンス（ｃｏｈｅｒｅｎｃｅ）とは、例えば光波長の干渉のしやすさを示す度合いを意味する。また、コヒーレント光（ｃｏｈｅｒｅｎｔ  ｌｉｇｈｔ）とは、例えば波長と位相とがそろえられた可干渉の波とされている。
【００５７】
撮像装置１０１用の撮像補助装置１の設計／仕様等により、一つの発光素子１０Ａが用いられて撮像補助装置１が構成されてもよい。また、撮像装置１０１用の撮像補助装置１の設計／仕様等により、例えば二つ以上の複数の発光素子１０Ａが用いられて撮像補助装置１が構成されてもよい。
【００５８】
また、撮像補助装置１を構成する光学部材２０Ａとして、例えば無色透明もしくは略無色透明のガラスもしくは合成樹脂材料製のレンズ２０Ａが用いられる。具体的に説明すると、光学部材２０Ａとして、発光素子１０Ａから出射された可視拡大光を略可視平行光とさせる略無色透明の合成樹脂材料製コリメータレンズ２０Ａが用いられる。コリメータレンズ２０Ａは、例えば発光素子１０Ａからレンズ２０Ａに入射された光を平行光もしくは
略平行光とさせて出射させる。平行光とは、例えば光線が広がらずにどこまでも平行に進む光を意味する。これに対し、拡大光／拡散光とは、例えばさまざまな方向に光を拡大／拡散させて照射させる光源の光を意味する。
【００５９】
このコリメータレンズ２０Ａは、発光素子１０Ａ側に向けて僅かに略湾曲面状に突出形成された第一レンズ曲面部２１と、第一レンズ曲面部２１の反対側に設けられ、撮像補助装置１を構成する箱部９０Ａの外側に向けて大きく略湾曲面状に突出形成された第二レンズ曲面部２２と、例えば接着剤等の接合部材（図示せず）が用いられてレンズ２０Ａを弾性部材７０Ａに装着させるとき等に用いられる略円筒状の周縁部２５とを備えて構成される。コリメータレンズは、例えばコリメートレンズなどとも呼ばれる。また、コリメータレンズ（ｃｏｌｌｉｍａｔｏｒ  ｌｅｎｓ）は、「ＣＬ」または「ＣＯＬ」と略称される。
【００６０】
撮像装置１０１用の撮像補助装置１の設計／仕様等により、一つのレンズ２０Ａが用いられて撮像補助装置１が構成されてもよい。また、撮像装置１０１用の撮像補助装置１の設計／仕様等により、例えば二つ以上の複数のレンズ２０Ａが用いられて撮像補助装置１が構成されてもよい。
【００６１】
また、撮像装置１０１用の撮像補助装置１の設計／仕様等により、撮像補助装置１を構成するレンズとして、例えば発光素子１０Ａから出射された可視拡大光を略線状にのばす等して整形するロッドレンズまたはシリンドリカルレンズが用いられてもよい（何れも図示せず）。
【００６２】
また、撮像補助装置１を構成する螺合部４０Ａは、雄ねじ状螺合部材５０Ａと、雌ねじ状螺合部６０Ａとを備えて構成される。雄ねじ状螺合部材５０Ａは、例えば発光素子１０Ａの角度を微調整可能な調整部材もしくは調整可能部材として形成されている。詳しく説明すると、螺合部材５０Ａは、例えばねじ部材５０Ａとして形成されている。より詳しく説明すると、雄ねじ状螺合部材５０Ａは、例えばボールポイント付雄ねじ部材５０Ａとして形成されている。例えば雄ねじ状螺合部材５０Ａは、ボールポイント付セットスクリューとして形成されている。また、雌ねじ状螺合部６０Ａは、雄ねじ部材５０Ａに対応し箱部９０Ａに螺設された雌ねじ部６０Ａとして形成されている。
【００６３】
また、弾性部材７０Ａは、例えば発光素子１０Ａの角度を微調整可能な調整部材として形成されている。詳しく説明すると、撮像補助装置１を構成する弾性部材７０Ａとして、例えばりん青銅製などの金属製ばね７０Ａが用いられる。例えばりん青銅製素材などの金属素材に打抜き加工や曲げ加工などのプレス加工が行われて、略板状の第一片部８１と、略板状の第二片部８２と、略板状の第三片部８３と、略板状の第四片部８４と、略板状の第五片部８５とを有する金属製ばね７０Ａが形成される。例えば弾性部材７０Ａは、金属製板ばね７０Ａとして形成される。金属素材に打抜き加工や曲げ加工などのプレス加工が行われて、略板状の第一片部８１と、略板状の第五片部８５とが合わせられたのちに、例えば加締め加工やスポット溶接加工等の溶接加工などが行われて、略板状の第五片部８５に略板状の第一片部８１が接合される。
【００６４】
例えば接着剤等の接合部材が用いられて、金属製ばね７０Ａの第一片部８１の略中央に設けられた略円孔状の第一装備部７１に発光素子１０Ａが備えられる。また、例えば接着剤等の接合部材が用いられて、金属製ばね７０Ａの第二片部８２の略中央に設けられた略円孔状の第二装備部７２に光学部材２０Ａが備えられる。また、金属製ばね７０Ａの第五片部８５の略中央に設けられた略円孔状の第三装備部７５に発光素子１０Ａが通される。また、金属製ばね７０Ａの第二片部８２の外側が箱部９０Ａの基壁９１の内側に合わせられ、金属製ばね７０Ａの第二片部８２の略四隅に設けられた複数の略円孔状の第四装備部
７６に、例えば、ねじ等の止具、接着剤等の接合部材（図示せず）が備えられて、箱部９０Ａの基壁９１の内側に金属製ばね７０Ａが装着される。例えば四つの略円孔状第四装備部７６全てにねじ等の止具、接着剤等の接合部材が備えられず、一部の略円孔状第四装備部７６にねじ等の止具、接着剤等の接合部材が備えられて、箱部９０Ａの基壁９１の内側に金属製ばね７０Ａが装着されてもよい。
【００６５】
また、撮像補助装置１を構成する箱部９０Ａとして、例えば撮像装置１０１を構成する略矩形箱状筐体１１１に備えられる金属製または合成樹脂製の異形ボックス部９０Ａが用いられる。異形箱部９０Ａは、略台形板状に形成された一枚の基壁９１と、基壁９１に連設された一対の略板状側壁９２と、同じく基壁９１に連設された一枚の略板状の他の側壁９３とを備え、発光素子１０Ａおよび光学部材２０Ａが取り付けられた弾性部材７０Ａと、螺合部材５０Ａとが収納される略台形箱状の異形収容部９６を有する。
【００６６】
一枚の基壁９１と複数の側壁９２，９３とを備えて形成された異形箱部９０Ａの大きい略矩形開口部９５から発光素子１０Ａおよび光学部材２０Ａを有する弾性部材７０Ａが収容室９６内に挿入され、ねじ等の止具、接着剤等の接合部材が用いられて、異形箱部９０Ａの異形基壁９１に異形弾性部材７０Ａが取り付けられる。
【００６７】
また、異形箱部９０Ａの内側に位置する弾性部材７０Ａに取り付けられた発光素子１０Ａから発せられ光学部材２０Ａを透過して異形箱部９０Ａの外側に向けて可視光が出射されるときに、この可視光を通すための略丸孔状開口部９８が、異形箱部９０Ａの略台形板状をした基壁９１に傾斜されて穿設されている。
【００６８】
発光素子１０Ａから出射される可視光の軸Ｌ１の角度を自在に調整可能な角度調整部３０Ａは、例えば、上記螺合部４０Ａと、上記弾性部材７０Ａと、上記箱部９０Ａとを備えて構成される。具体的に説明すると、発光素子１０Ａから出射される可視光の軸Ｌ１の角度を自在に調整可能な光軸角度調整部３０Ａは、例えば、上記螺合部４０Ａを構成する上記雄ねじ状螺合部材５０Ａと、上記螺合部４０Ａを構成する上記雌ねじ状螺合部６０Ａと、上記ばね７０Ａと、上記ボックス部９０Ａとを備えて構成される。
【００６９】
また、撮像装置１０１として、例えば静止画および／または動画などの映像および／または音声を記録可能なカメラ１０１が用いられる。このカメラ１０１は、例えばＵＳＢに対応したビデオカメラ１０１とされている。ＵＳＢ（Ｕｎｉｖｅｒｓａｌ  Ｓｅｒｉａｌ
Ｂｕｓ）とは、例えば、キーボード、マウス、モデム、ジョイスティック等の周辺機器とパーソナルコンピュータ等のコンピュータ等とを結ぶデータ伝送路の規格のひとつを意味する。
【００７０】
また、このカメラ１０１に内蔵される固体撮像素子１００Ａは、例えば略二百万画素などの数百万〜数千万画素のＣＭＯＳイメージセンサを有するものとされている。ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）とは、半導体の一方式であるＭＯＳ（Ｍｅｔａｌ−Ｏｘｉｄｅ−Ｓｅｍｉｃｏｎｄｕｃｔｏｒ）を改良したものとされており、電荷の運搬に自由電子と正孔の両方が用いられるため、ＭＯＳに比べて動作速度が高いものとされている。カメラ１０１の設計／仕様等により、ＣＭＯＳに代えて例えばＣＣＤ等が用いられてもよい。
【００７１】
固体撮像素子１００Ａの総画素数は、例えば１６２４（ｈｏｒｉｚｏｎｔａｌ  ｄｉｒｅｃｔｉｏｎ）×１２２４（ｖｅｒｔｉｃａｌ  ｄｉｒｅｃｔｉｏｎ）ピクセルとされる。また、固体撮像素子１００Ａの有効画素数は、例えば１６００（水平）×１２００（垂直）ピクセルとされ、いわゆるＵＸＧＡに基づいたものとされる。ＵＸＧＡ（Ｕｌｔｒａ
Ｅｘｔｅｎｄｅｄ  Ｇｒａｐｈｉｃｓ  Ａｒｒａｙ／Ｕｌｔｒａ  ｅＸｔｅｎｄｅｄ  
Ｇｒａｐｈｉｃｓ  Ａｒｒａｙ）とは、１６００×１２００ピクセルの解像度を意味し、ＸＧＡ（Ｅｘｔｅｎｄｅｄ  Ｇｒａｐｈｉｃｓ  Ａｒｒａｙ／ｅＸｔｅｎｄｅｄ  Ｇｒａｐｈｉｃｓ  Ａｒｒａｙ：解像度１０２４×７６８ピクセル）を拡張した解像度である。また、固体撮像素子１００Ａの画素サイズは、例えば３．０×３．０μｍ（マイクロメートル／ミクロン）とされ、固体撮像素子１００Ａの撮像面積は、例えば４８７２×３６７２μｍとされる。
【００７２】
また、このカメラ１０１に内蔵されるカラーフィルタ（図示せず）は、例えば「Ｂａｙｅｒ  Ｐａｔｔｅｒｎ」のＲＧＢ（Ｒｅｄ−Ｇｒｅｅｎ−Ｂｌｕｅ）に基づくものとされている。「Ｂａｙｅｒ  Ｐａｔｔｅｒｎ」とは、例えば、画像の１／４が赤、画像の１／４が青、画像の１／２が緑でキャプチャされる構成のものを意味する。キャプチャとは、例えばディスプレイに表示されている静止画像や動画像を画像データとしてファイルに保存すること意味する。
【００７３】
また、このカメラ１０１は、センサモジュール等を有するカメラモジュール（何れも図示せず）を内部に備えた低コストカメラ１０１とされている。モジュールとは、例えば、追加や、交換などを容易にするために複数の部品を組み合わせた構成単位を意味する。また、このカメラ１０１は、必要に応じてハーフミラー（図示せず）を内部に備える。
【００７４】
ＣＭＯＳイメージセンサ等の撮像素子１００Ａ、カラーフィルタ、センサモジュール等を有するカメラモジュールや、ハーフミラー（何れも図示せず）等は、カメラ１０１を構成する略矩形箱状の筐体１１１いわゆるケース１１１内に装備される。
【００７５】
また、このカメラ１０１は、例えばフィールドレンズ２２０を備える回動可能リング２００や接写リング２４０を有する補助器具１２１いわゆるアダプタ１２１を備え、対象物／被写体（図示せず）の光の深度調整が可能なカメラ１０１として構成される。フィールドレンズ２２０として、例えば無色透明もしくは略無色透明のガラスもしくは合成樹脂材料製のレンズ２２０が用いられる。
【００７６】
カメラ１０１の撮像素子１００Ａ等が用いられて撮影された映像は、例えばケーブル等の電線（図示せず）を経由してＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）方式の信号および／またはデジタル信号として他の機器（図示せず）などに送られる。デジタル（ｄｉｇｉｔａｌ）とは、例えば物質やシステムなどの状態を離散的な数字や文字などの信号により表現することを意味する。また、デジタルに対し、アナログ（ａｎａｌｏｇ）とは、例えば物質やシステムなどの状態を連続的に変化する物理量などによって表現することを意味する。
【００７７】
この撮像補助装置１は、例えばカメラ１０１が用いられて被写体とされる対象物の撮像が行われるときに、対象物の撮像を行わせやすくするカメラ１０１用の撮像補助装置１とされている。
【００７８】
また、上記カメラ１０１に備えられる上記撮像補助装置１は、一個の発光素子１０Ａおよび一個のコリメータレンズ２０Ａがカメラ１０１のケース１１１の外側に位置する例えば１ビーム・レンズ外方式の撮像補助装置１とされている。
【００７９】
カメラ１０１が用いられて対象物への焦点合せ及び対象物の撮像を行わせやすくするために、このカメラ１０１用の撮像補助装置１は、可視光を発する発光素子１０Ａと、発光素子１０Ａから出射された可視光を適度に屈折等させて対象物に精度よく当てやすくするコリメータレンズ２０Ａと、発光素子１０Ａの角度を調整させることで発光素子１０Ａから出射される可視光の軸Ｌ１の角度を自在に調整可能な雄ねじ部材５０Ａと、発光素子１
０Ａの角度を調整させることで発光素子１０Ａから出射される可視光の軸Ｌ１の角度を自在に調整可能な略矩形箱状をした復元弾性力を生じるばね７０Ａと、発光素子１０Ａ、コリメータレンズ２０Ａ、雄ねじ部材５０Ａ、ばね７０Ａの一部または全てを収容可能で、雄ねじ部材５０Ａに対応する雌ねじ部６０Ａが形成された基壁９１を有するボックス部９０Ａとを備えて構成されている。
【００８０】
このようにカメラ１０１用の撮像補助装置１が構成されることにより、発光素子１０Ａから発せられた可視光は、雄ねじ部材５０Ａ、略矩形箱状のばね７０Ａなどにより調整されて被写体とされる対象物に当てられる。図１〜図５に示すカメラ１０１用の撮像補助装置１が構成されることにより、発光素子１０Ａから発せられるコヒーレント可視光が被写体とされる対象物に精度よく略スポット状に照射可能となる。例えば対象物に照射されている可視光の対象物の深度調整いわゆる被写体深度調整などが容易に行われるカメラ１０１用の撮像補助装置１の提供が可能となる。
【００８１】
上記カメラ１０１用の撮像補助装置１において、発光素子１０Ａとコリメータレンズ２０Ａとが適度な間隔をおいてばね７０Ａに装着されると共に、止具、接着剤などの接合部材によりボックス部９０Ａの基壁９１にばね７０Ａが装着され、且つ、ボックス部９０Ａを構成する基壁９１の雌ねじ部６０Ａに装着された雄ねじ部材５０Ａの先端部５１が、ばね７０Ａの一片部８３に接触可能とされている。
【００８２】
このようにカメラ１０１用の撮像補助装置１が構成されることにより、被写体とされる対象物への焦点合せ及び対象物の撮像が行われやすくなる。可視光を発する発光素子１０Ａと、発光素子１０Ａから出射された可視光を適度に屈折等させて対象物に精度よく当てやすくするコリメータレンズ２０Ａとが、適度な間隔をおいてばね７０Ａに装着され、このばね７０Ａは、発光素子１０Ａの角度を調整させることで発光素子１０Ａから出射される可視光の軸Ｌ１の角度を自在に調整可能な略矩形箱状をした復元弾性力を生じるばね７０Ａとされ、また、このばね７０Ａは、発光素子１０Ａの一部を収容可能なボックス部９０Ａの基壁９１に、止具、接着剤などの接合部材により装着され、さらに、発光素子１０Ａの角度を調整させることで発光素子１０Ａから出射される可視光の軸Ｌ１の角度を自在に調整可能な雄ねじ部材５０Ａが、ボックス部９０Ａを構成する基壁９１の雌ねじ部６０Ａに装着され、雄ねじ部材５０Ａの先端部５１が、ばね７０Ａの一片部８３に接触可能とされているので、例えばカメラ１０１が用いられて対象物への焦点合せ及び対象物の撮像が行われるときに、対象物の光の深度調整いわゆる被写体深度調整などが容易に行われやすくなる。
【００８３】
雄ねじ部材５０Ａが手や治工具（何れも図示せず）などによって回動させられることにより、発光素子１０Ａから出射される可視光の軸Ｌ１の角度が自在に調整され、発光素子１０Ａから出射された可視光を適度に屈折等させて対象物に精度よく当てやすくするコリメータレンズ２０Ａにより、コリメータレンズ２０Ａを透過した可視光は、対象物に対して調整されつつ対象物に照射される。ボックス部９０Ａを構成する基壁９１に装着され、発光素子１０Ａから出射される可視光の軸Ｌ１の角度を自在に調整可能な略矩形箱状のばね７０Ａに接触している雄ねじ部材５０Ａが不図示の手や治工具などにより回動させられて、ボックス部９０Ａを構成する基壁９１に装着されている発光素子１０Ａを備えた略矩形箱状のばね７０Ａが押動等させられることにより、ばね７０Ａに装着された発光素子１０Ａから出射される可視光の軸Ｌ１の角度が自在に調整される。また、発光素子１０Ａから出射された可視光を適度に屈折等させて対象物に精度よく当てやすくするコリメータレンズ２０Ａにより、例えば対象物に照射されている可視光の対象物の深度調整いわゆる被写体深度調整などが容易に行われる。
【００８４】
また、雄ねじ部材５０Ａを回動させることにより行われる発光素子１０Ａの角度調整は
、直接手や治工具などが用いられて人の手で行われるので、廉価な撮像補助装置１が構成される。これに伴って、廉価な撮像補助装置１を備える廉価なカメラ１０１が構成される。
【００８５】
略矩形箱状のばね７０Ａに装着された発光素子１０Ａの角度調整を行うときに、雄ねじ部材５０Ａの後端部５２に設けられた治具穴５４に不図示の治工具を挿入し、治工具を手で回動させて略矩形箱状のばね７０Ａを弾性変形させることにより、略矩形箱状のばね７０Ａに装着された発光素子１０Ａの角度調整が行われる。
【００８６】
復元弾性力を生じるばね７０Ａとして、金属素材に打抜き加工などのプレス加工が行われ、金属素材に曲げ加工などのプレス加工が行われて金属製板材が折り曲げられることにより形成された略矩形箱状もしくは略台形箱状の異形ばね７０Ａが用いられている。
【００８７】
このようにばね７０Ａが形成されることにより、ばね７０Ａは適度に弾性変形されやすくなる。ばね７０Ａとして、金属素材に打抜き加工などのプレス加工が行われ、金属素材に曲げ加工などのプレス加工が行われて金属製板材が折り曲げられることにより形成された略矩形箱状もしくは略台形箱状の異形ばね７０Ａが用いられているので、発光素子１０Ａの角度を調整させることで発光素子１０Ａから出射される可視光の軸Ｌ１の角度を自在に調整可能な雄ねじ部材５０Ａが、略矩形箱状もしくは略台形箱状の復元弾性力を生じる異形ばね７０Ａに接触しても、略矩形箱状もしくは略台形箱状の異形ばね７０Ａが例えば著しく塑性変形するということは回避されやすくなり、略矩形箱状もしくは略台形箱状の異形ばね７０Ａは、良好に弾性変形されやすくなる。略矩形箱状もしくは略台形箱状の異形ばね７０Ａが適度に弾性変形することにより、略矩形箱状もしくは略台形箱状の異形ばね７０Ａに装着された発光素子１０Ａから出射される可視光の軸Ｌ１の角度が自在に調整されやすくなる。
【００８８】
図２の如く、略台形箱状の異形ばね７０Ａが例えば略台形枠状に見えるように側面視されたときに、略板状の第一片部８１に対し略板状の第二片部８２は略平行に位置している。また、略板状の第一片部８１に対し略板状の第三片部８３は鋭角に曲げられている。また、略板状の第一片部８１に対し略板状の第四片部８４は鋭角に曲げられている。また、略板状の第一片部８１に対し略板状の第五片部８５は略平行に重ね合わせられて略板状の第一片部８１と一体化されている。また、略板状の第二片部８２に対し略板状の第三片部８３は鈍角に曲げられている。また、略板状の第二片部８２に対し略板状の第四片部８４は鈍角に曲げられている。
【００８９】
また、略板状の第一片部８１の長さと、略板状の第五片部８５の長さとは、略同じ長さとされている。また、略板状の第一片部８１の長さよりも略板状の第二片部８２の長さのほうが短い長さとされている。また、略板状の第三片部８３の長さと、略板状の第四片部８４の長さとは、略同じ長さとされている。また、略板状の第一片部８１の長さ、略板状の第二片部８２の長さ及び略板状の第五片部８５の長さよりも、略板状の第三片部８３の長さ及び略板状の第四片部８４の長さのほうが短い長さとされている。
【００９０】
略台形箱状の異形ばね７０Ａが例えば略台形枠状に見えるように側面視され、そのときに、発光素子１０Ａの光軸Ｌ１１０および／またはレンズ２０Ａの光軸Ｌ１２０を中心軸と定めた場合、略台形箱状の異形ばね７０Ａは、中心軸を基準に略対称に形成されている。
【００９１】
光軸角度調整部３０Ａを構成するばね７０Ａは、可視光を発する発光素子１０Ａを装着可能な第一片部８１と、第一片部８１と略並行し、発光素子１０Ａから出射された可視光を適度に屈折等させて対象物に精度よく当てやすくするコリメータレンズ２０Ａを装着可
能な第二片部８２と、第一片部８１および第二片部８２と異なる角度とされ、第二片部８２および第五片部８５をつなぎ、雄ねじ部材５０Ａの先端部５１が接触可能な可撓性の第三片部８３と、第一片部８１および第二片部８２と異なる角度とされ、第一片部８１および第二片部８２をつなぐ可撓性の第四片部８４と、第一片部８１と合わせられる第五片部８５とを備えて略台形箱状に形成されている。
【００９２】
このようにばね７０Ａが構成されることにより、発光素子１０Ａから発せられた可視光は、コリメータレンズ２０Ａを透過して適度に屈折等され、対象物に精度よく当てられやすくなる。ボックス部９０Ａを構成する基壁９１の雌ねじ部６０Ａに雄ねじ部材５０Ａが装着され、発光素子１０Ａから出射される可視光の軸Ｌ１の角度を自在に調整可能な略台形箱状ばね７０Ａの可撓性の第三片部８３に接触可能な雄ねじ部材５０Ａが手や治工具などにより回動させられて、ボックス部９０Ａを構成する基壁９１に装着されている発光素子１０Ａを備えた略台形箱状のばね７０Ａの第三片部８３が押圧変形または復元回復等させられることにより、ばね７０Ａの第一片部８１に装着された発光素子１０Ａから出射される可視光の軸Ｌ１の角度が自在に調整される。ばね７０Ａの第一片部８１に装着された発光素子１０Ａから出射される可視光は、自在に角度調整が行われつつ、ばね７０Ａの第二片部８２に装着されたコリメータレンズ２０Ａを透過することにより、比較的精度よく対象物に当てられる。
【００９３】
上記構造をしたばね７０Ａを備える撮像補助装置１が構成されることにより、発光素子１０Ａから出射される可視光の軸Ｌ１の仰角を調整可能な撮像補助装置１が提供可能となる。可視光の軸Ｌ１の仰角は、例えば角度にして数度〜数十度の範囲内で設定される。
【００９４】
また、光軸角度調整部３０Ａを構成するばね７０Ａは、可視光を発する発光素子１０Ａを装着可能な第一片部８１と、第一片部８１と略並行し、発光素子１０Ａから出射された可視光を適度に屈折等させて対象物に精度よく当てやすくするコリメータレンズ２０Ａを装着可能な第二片部８２と、第一片部８１および第二片部８２と異なる角度とされ、第二片部８２および第五片部８５をつなぎ、雄ねじ部材５０Ａの先端部５１が接触可能な可撓性の第三片部８３と、第一片部８１および第二片部８２と異なる角度とされ、第一片部８１および第二片部８２をつなぐ可撓性の第四片部８４と、第一片部８１と合わせられる第五片部８５とを備えて略台形箱状に形成されているので、ばね７０Ａの第三片部８３に力が加えられると、ばね７０Ａは、弾性変形されやすくなると共に、ばね７０Ａの第三片部８３に加えられた力が取り除かれると、ばね７０Ａは、元の形に復元されやすくなる。
【００９５】
上記構造をしたばね７０Ａを備える撮像補助装置１が構成されることにより、発光素子１０Ａから出射される可視光の軸Ｌ１の仰角を自在に調整できると共に、角度にして数度〜数十度の範囲内の所望の設定仰角で可視光の軸Ｌ１の角度を固定可能な撮像補助装置１が提供可能となる。
【００９６】
撮像補助装置１の設計／仕様等により、例えば、可視光を発する発光素子１０Ａを装着可能な第一片部８１と、第一片部８１と略並行し、発光素子１０Ａから出射された可視光を適度に屈折等させて対象物に精度よく当てやすくするコリメータレンズ２０Ａを装着可能な第二片部８２と、第一片部８１および第二片部８２と異なる角度とされ、第一片部（８１）および第二片部（８２）をつなぎ、雄ねじ部材５０Ａの先端部５１が接触可能な可撓性の第三片部（８３）と、第一片部８１および第二片部８２と異なる角度とされ、第二片部（８２）および第五片部（８５）をつなぐ可撓性の第四片部（８４）と、第一片部８１と合わせられる第五片部８５とを備えて略台形箱状に形成されたばね７０Ａも使用可能とされる。
【００９７】
なお、この明細書における符号に付けられた括弧（  ）は、図示されたものと異なるも
のを説明するために便宜上用いられている。
【００９８】
発光素子１０Ａから発せられる光は、肉眼での反射光の直接確認が可能な例えば基準波長略３８０ｎｍ以上略８３０ｎｍ以下、具体的には基準波長略４００ｎｍ以上略７８０ｎｍ以下の可視光とされる。
【００９９】
所定の基準波長の可視光を出射可能な発光素子１０Ａが用いられることにより、対象物への焦点合せ及び対象物の撮像は容易に行われやすくなる。例えば撮像補助装置１を有するカメラ１０１が用いられて対象物への焦点合せ及び対象物の撮像が行われるときに、撮像補助装置１の発光素子１０Ａから例えば基準波長略３８０ｎｍ以上略８３０ｎｍ以下、具体的には基準波長略４００ｎｍ以上略７８０ｎｍ以下の可視光が出射される。この可視光を対象物に照射させる。撮像補助装置１の発光素子１０Ａから出射された可視光は、対象物に照射されると共に反射される。そのときに、対象物から反射された可視光は肉眼で直接確認できるので、撮像補助装置１を有するカメラ１０１により対象物が容易に捉えられる。このようなことから、この撮像補助装置１は、例えば、夜間や、灯りの無い地下室や、足場の悪い洞窟内などにおける場所において、カメラ１０１などの撮像装置１０１が用いられて撮像が行われるときに使用されることが好ましい。
【０１００】
上記カメラ１０１用の撮像補助装置１は、可視光を対象物に照射可能なガイドポインタＰ１を含む構成とされている。詳しく説明すると、上記カメラ１０１用の撮像補助装置１は、可視光により対象物の特定の位置を照射可能なガイドポインタＰ１を含む構成とされている。
【０１０１】
このようにカメラ１０１用の撮像補助装置１が構成されることにより、対象物への焦点合せ及び対象物の撮像は、比較的精度よく容易に行われる。例えばカメラ１０１に装備される撮像補助装置１は、可視光を対象物に照射可能とさせ可視光により対象物の特定の位置を照射可能なガイドポインタＰ１を含む構成とされているので、ガイドポインタＰ１の発光素子１０Ａから出射される可視光を対象物に当てることにより、対象物は、ガイドポインタＰ１を含む撮像補助装置１により容易に捉えられる。
【０１０２】
撮像補助装置１の発光素子１０Ａとして、例えばレーザ光を出射可能なＬＤが用いられて、撮像補助装置１は、レーザ光により特定の位置を照射可能なレーザポインタＰ１を含む構成とされる。レーザポインタＰ１を含む撮像補助装置１が構成されることにより、対象物への焦点合せ及び対象物の撮像は、精度よく容易に行われる。例えばカメラ１０１に装備される撮像補助装置１は、レーザ光により特定の位置を照射可能なレーザポインタＰ１を含む構成とされているので、レーザポインタＰ１の発光素子１０Ａから出射される可視光を対象物に当てることにより、対象物は、レーザポインタＰ１を含む撮像補助装置１により容易に捉えられる。
【０１０３】
又は、撮像補助装置１の発光素子１０Ａとして、例えばＬＥＤ光を出射可能なＬＥＤが用いられて、撮像補助装置１は、ＬＥＤ光により特定の位置を照射可能なＬＥＤポインタＰ１を含む構成とされる。ＬＥＤポインタＰ１を含む撮像補助装置１が構成されることにより、対象物への焦点合せ及び対象物の撮像は、精度よく容易に行われる。例えばカメラ１０１に装備される撮像補助装置１は、ＬＥＤ光により特定の位置を照射可能なＬＥＤポインタＰ１を含む構成とされているので、ＬＥＤポインタＰ１の発光素子１０Ａから出射される可視光を対象物に当てることにより、対象物は、ＬＥＤポインタＰ１を含む撮像補助装置１により容易に捉えられる。
【０１０４】
カメラ１０１用の撮像補助装置１の設計／仕様等により、撮像補助装置１の発光素子１０Ａから出射される可視光の色は、赤色、青色などの各種の色に設定可能とされる。
【０１０５】
図１の如く、上記カメラ１０１は、上記撮像補助装置１を有するものとされている。
【０１０６】
これにより、被写体とされる対象物への焦点合せ及び対象物の撮像が行われやすくされたカメラ１０１の提供が可能となる。被写体とされる対象物への焦点合せ及び対象物の撮像が行われるときに、対象物への焦点合せ及び対象物の撮像を行わせやすくする撮像補助装置１を少なくとも有するカメラ１０１が構成されることにより、対象物への焦点合せ及び対象物の撮像が容易に行われやすくなる。
【０１０７】
撮像補助装置１、ガイドポインタＰ１が備えられたカメラ１０１を用いて被写体深度の調整が行われるときの設定方法について説明する。
【０１０８】
被写体とされる対象物へ撮像補助装置１を有するＣＭＯＳ／ＣＣＤカメラ１０１を向け、撮像補助装置１の発光素子１０Ａから出射されコリメータレンズ２０Ａにより略平行光とされた可視光を被写体とされる対象物に照射させ、そのときに、撮像補助装置１のねじ部材５０Ａを手などで回動させて可視光の光軸角度調整を行うことで対象物に照射された可視光の深度調整を行い、これと共に、カメラ１０１に装備されたフィールドレンズ２２０を備える回動可能リング２００等を手などで調整して、対象物へのカメラ１０１の焦点合せを行ったのちに、例えば撮像補助装置１の発光素子１０Ａから出射される可視光を消灯させ、カメラ１０１を用いて被写体とされる対象物の撮像を行う。
【０１０９】
ＣＭＯＳ／ＣＣＤカメラ１０１を使用して対象物の像を得る場合、例えば、対象物がカメラ１０１の光軸Ｌ０、被写体深度の範囲に入るようにカメラ１０１からの出力映像を見ながらカメラ１０１の角度設定を行う。その設定を補助するのに、レーザ光／ＬＥＤ光等の光源を用いたガイドポインタＰ１を使用する。
【０１１０】
カメラ１０１を対象物に向けると共に、ガイドポインタＰ１から出射されるレーザ光／ＬＥＤ光などの光を対象物に当てる。そのときに、対象物がカメラ１０１の光軸Ｌ０、被写体深度範囲にあることをカメラモニタ（図示せず）等を介して目視にて直接確認する。このときに、被写体深度調整などを行うために手動でねじ部材５０Ａを回すことにより、レーザ光／ＬＥＤ光などの光を発する発光素子１０Ａの一部が押されたり引かれたりする。これにより、レーザ光／ＬＥＤ光などの光を発する発光素子１０Ａの光軸Ｌ１の仰角を調整できる。
【０１１１】
手動でねじ部材５０Ａを回して、レーザ光／ＬＥＤ光などの光を発する発光素子１０Ａが引かれるときに、ねじ部材５０Ａで押されるばね７０Ａは、ばね７０Ａ自身から生じる復元弾性力により例えば反発力が発生し、ねじ部材５０Ａに対してばね７０Ａが常に接する。これにより、発光素子１０Ａの仰角の範囲内で発光素子１０Ａの角度設定を自在にできると共に設定された角度を確実に固定できるようになる。
【０１１２】
ガイドポインタＰ１を備える撮像補助装置１は、このように調整できる機能を具備する。ガイドポインタＰ１の角度調整が手動で行われる構造とされているため、ガイドポインタＰ１を廉価で具備可能なカメラ１０１を提供することができる。
【０１１３】
上記カメラ１０１に備えられる上記撮像補助装置１は、ボックス部９０Ａ内の発光素子１０Ａが略矩形箱状をした異形ばね７０Ａに装備され、ねじ部材５０Ａと略矩形箱状異形ばね７０Ａとにより、略矩形箱状異形ばね７０Ａに装備された発光素子１０Ａが角度調整可能とされた撮像補助装置１とされているが、本発明に係る撮像／映像補助装置およびそれを備える撮像／映像装置は、図示したものや上記したものに限られるものではない。
【０１１４】
上記撮像補助装置１や上記撮像補助装置１を有する上記カメラ１０１は、例えば、試験装置や、半田付け装置などの各種装置に装備されて使用されることが好ましい。
【０１１５】
また、上記カメラ１０１等の撮像装置１０１に代えて、例えば液晶プロジェクタ（１０１）等の映像装置（１０１）が用いられてもよい。そのときに、上記撮像補助装置１は映像補助装置１として用いられてもよい。詳しく説明すると、上記撮像補助装置１は、例えばカメラ１０１等の撮像装置１０１が用いられて被写体とされる対象物の撮像が行われるときに、対象物の撮像を行わせやすくする撮像補助装置１とされているが、例えば液晶プロジェクタ（１０１）等の映像装置（１０１）が用いられて不図示のスクリーン等の対象物に映像を映し出させるときに、対象物へ映像を映し出させやすくする映像補助装置１として用いられてもよい。
【０１１６】
スクリーン等の対象物へ映像補助装置１を有する液晶プロジェクタ（１０１）を向け、映像補助装置１の発光素子１０Ａから出射されコリメータレンズ２０Ａにより略平行光とされた可視光をスクリーン等の対象物に照射させ、そのときに、映像補助装置１のねじ部材５０Ａを手などで回動させて可視光の光軸角度調整を行うことで対象物に照射された可視光の深度調整を行い、これと共に、液晶プロジェクタ（１０１）に装備されたレンズ（２２０）を備える回動可能リング（２００）等を手などで調整して、対象物への液晶プロジェクタ（１０１）の焦点合せを行ったのちに、例えば映像補助装置１の発光素子１０Ａから出射される可視光を消灯させ、液晶プロジェクタ（１０１）を用いてスクリーン等の対象物へ映像を映し出させる。
【実施例２】
【０１１７】
次に、本発明に係る撮像／映像補助装置およびそれを備える撮像／映像装置の第二の実施形態について、図６及び図７を用いて詳細に説明する。
【０１１８】
図６は、本発明に係る撮像／映像補助装置およびそれを備える撮像／映像装置の第二の実施形態を示す説明図、図７は、図６の撮像／映像補助装置を示す拡大断面図である。
【０１１９】
なお、実施例２において、実施例１で説明したものと略同じものについては、その詳細な説明を省略した。
【０１２０】
この発光素子１０Ｂは、例えば「カンタイプ」の発光素子１０Ｂとして構成されている。撮像補助装置２を構成する発光素子１０Ｂとして、例えば上記波長のレーザ光を出射可能なＬＤが用いられる。また、撮像補助装置２を構成する発光素子１０Ｂとして、例えば上記波長のＬＥＤ光を出射可能なＬＥＤが用いられる。発光素子１０Ｂは、例えばレーザ光および／またはＬＥＤ光を出射可能な光源として構成されている。例えば発光素子１０Ｂは、コヒーレント可視光を出射可能な光源として構成されている。撮像装置１０２用の撮像補助装置２の設計／仕様等により、一つの発光素子１０Ｂが用いられて撮像補助装置２が構成されてもよい。また、撮像装置１０２用の撮像補助装置２の設計／仕様等により、例えば二つ以上の複数の発光素子１０Ｂが用いられて撮像補助装置２が構成されてもよい。
【０１２１】
また、撮像補助装置２を構成する光学部材２０Ｂとして、例えば無色透明もしくは略無色透明のガラスもしくは合成樹脂材料製のレンズ２０Ｂが用いられる。具体的に説明すると、光学部材２０Ｂとして、発光素子１０Ｂから出射された可視拡大光を略可視平行光とさせる略無色透明の合成樹脂材料製コリメータレンズ２０Ｂが用いられる。コリメータレンズ２０Ｂは、例えば発光素子１０Ｂからレンズ２０Ｂに入射された光を平行光もしくは略平行光とさせて出射させる。
【０１２２】
撮像装置１０２用の撮像補助装置２の設計／仕様等により、一つのレンズ２０Ｂが用いられて撮像補助装置２が構成されてもよい。また、撮像装置１０２用の撮像補助装置２の設計／仕様等により、例えば二つ以上の複数のレンズ２０Ｂが用いられて撮像補助装置２が構成されてもよい。
【０１２３】
また、撮像装置１０２用の撮像補助装置２の設計／仕様等により、撮像補助装置２を構成するレンズとして、例えば発光素子１０Ｂから出射された可視拡大光を略線状にのばす等して整形するロッドレンズまたはシリンドリカルレンズが用いられてもよい（何れも図示せず）。
【０１２４】
また、撮像補助装置２を構成する螺合部４０Ｂは、雄ねじ状螺合部材５０Ｂと、雌ねじ状螺合部６０Ｂとを備えて構成される。雄ねじ状螺合部材５０Ｂは、例えば発光素子１０Ｂの角度θａ，θｂ，θｃを微調整可能な調整部材もしくは調整可能部材として形成されている。詳しく説明すると、螺合部材５０Ｂは、例えばねじ部材５０Ｂとして形成されている。より詳しく説明すると、雄ねじ状螺合部材５０Ｂは、例えばボールポイント付雄ねじ部材５０Ｂとして形成されている。例えば雄ねじ状螺合部材５０Ｂは、ボールポイント付セットスクリューとして形成されている。また、雌ねじ状螺合部６０Ｂは、雄ねじ部材５０Ｂに対応し箱部９０Ｂに螺設された雌ねじ部６０Ｂとして形成されている。
【０１２５】
また、弾性部材７０Ｂ１，７０Ｂ２は、例えば発光素子１０Ｂの角度θａ，θｂ，θｃを微調整可能な調整部材として形成されている。詳しく説明すると、撮像補助装置２を構成する弾性部材７０Ｂ１，７０Ｂ２として、例えば金属製コイルばね７０Ｂ１，７０Ｂ２が用いられる。例えば弾性部材７０Ｂ１，７０Ｂ２は、金属製板コイルばね７０Ｂ１，７０Ｂ２として形成される。
【０１２６】
発光素子１０Ｂから出射される可視光の軸Ｌ１ａの角度θａや、可視光の軸Ｌ１ｂの角度θｂや、可視光の軸Ｌ１ｃの角度θｃを自在に調整可能な角度調整部３０Ｂは、例えば、上記螺合部４０Ｂと、上記弾性部材７０Ｂ１，７０Ｂ２と、上記箱部９０Ｂとを備えて構成される。具体的に説明すると、発光素子１０Ｂから出射される可視光の軸Ｌ１ａの角度θａや、可視光の軸Ｌ１ｂの角度θｂや、可視光の軸Ｌ１ｃの角度θｃを自在に調整可能な光軸角度調整部３０Ｂは、例えば、上記螺合部４０Ｂを構成する上記雄ねじ状螺合部材５０Ｂと、上記螺合部４０Ｂを構成する上記雌ねじ状螺合部６０Ｂと、上記コイルばね７０Ｂ１，７０Ｂ２と、上記ボックス部９０Ｂとを備えて構成される。
【０１２７】
例えば、ボックス部９０Ｂ内の発光素子１０Ｂが、ねじ部材５０Ｂ及び／又は圧縮コイルばね７０Ｂ１，７０Ｂ２により角度調整可能に挟持される撮像補助装置２が構成されている。
【０１２８】
また、撮像装置１０２として、例えば静止画および／または動画などの映像および／または音声を記録可能なカメラ１０２が用いられる。このカメラ１０２は、例えばＵＳＢに対応したビデオカメラ１０２とされている。
【０１２９】
また、このカメラ１０２に内蔵される固体撮像素子１００Ｂは、例えば略二百万画素などの数百万〜数千万画素のＣＭＯＳイメージセンサを有するものとされている。カメラ１０２の設計／仕様等により、ＣＭＯＳに代えて例えばＣＣＤ等が用いられてもよい。
【０１３０】
固体撮像素子１００Ｂの総画素数は、例えば１６２４×１２２４ピクセルとされる。また、固体撮像素子１００Ｂの有効画素数は、例えば１６００（水平）×１２００（垂直）ピクセルとされ、いわゆるＵＸＧＡに基づいたものとされる。また、固体撮像素子１００Ｂの画素サイズは、例えば３．０×３．０μｍとされ、固体撮像素子１００Ｂの撮像面積
は、例えば４８７２×３６７２μｍとされる。
【０１３１】
また、このカメラ１０２に内蔵されるカラーフィルタ（図示せず）は、例えば「Ｂａｙｅｒ  Ｐａｔｔｅｒｎ」のＲＧＢに基づくものとされている。
【０１３２】
また、このカメラ１０２は、センサモジュール等を有するカメラモジュール（何れも図示せず）を内部に備えた低コストカメラ１０２とされている。また、このカメラ１０２は、必要に応じてハーフミラー（図示せず）を内部に備える。
【０１３３】
ＣＭＯＳイメージセンサ等の撮像素子１００Ｂ、カラーフィルタ、センサモジュール等を有するカメラモジュールや、ハーフミラー（何れも図示せず）等は、カメラ１０２を構成する略矩形箱状の筐体１１２いわゆるケース１１２内に装備される。
【０１３４】
また、このカメラ１０２は、例えばフィールドレンズ２２２を備える回動可能リング２０２や接写リング２４２を有する補助器具１２２いわゆるアダプタ１２２を備え、対象物／被写体の光の深度調整が可能なカメラ１０２として構成される。対象物／被写体の光の深度調整が行われるときの状態を分り易くさせるために、便宜上、対象物Ｚａと対象物Ｚｂと対象物Ｚｃとが分けられて示されているが、実際には、対象物／被写体は、一つのものとされる。
【０１３５】
カメラ１０２の撮像素子１００Ｂ等が用いられて撮影された映像は、例えばケーブル３００等の電線３００を経由してＮＴＳＣ信号および／またはデジタル信号として不図示の他の機器などに送られる。
【０１３６】
この撮像補助装置２は、例えばカメラ１０２が用いられて被写体とされる対象物Ｚａ，Ｚｂ，Ｚｃの撮像が行われるときに、対象物Ｚａ，Ｚｂ，Ｚｃの撮像を行わせやすくするカメラ１０２用の撮像補助装置２とされている。
【０１３７】
また、上記カメラ１０２に備えられる上記撮像補助装置２は、一個の発光素子１０Ｂおよび一個のコリメータレンズ２０Ｂがカメラ１０２のケース１１２の外側に位置する例えば１ビーム・レンズ外方式の撮像補助装置２とされている。
【０１３８】
カメラ１０２が用いられて対象物Ｚａ，Ｚｂ，Ｚｃへの焦点合せ及び対象物Ｚａ，Ｚｂ，Ｚｃの撮像を行わせやすくするために、このカメラ１０２用の撮像補助装置２は、可視光を発する発光素子１０Ｂと、発光素子１０Ｂから出射された可視光を適度に屈折等させて対象物Ｚａ，Ｚｂ，Ｚｃに精度よく当てやすくするコリメータレンズ２０Ｂと、発光素子１０Ｂの角度θａ，θｂ，θｃを調整させることで発光素子１０Ｂから出射される可視光の軸Ｌ１ａの角度θａや、可視光の軸Ｌ１ｂの角度θｂや、可視光の軸Ｌ１ｃの角度θｃを自在に調整可能な雄ねじ部材５０Ｂと、発光素子１０Ｂの角度θａ，θｂ，θｃを調整させることで発光素子１０Ｂから出射される可視光の軸Ｌ１ａの角度θａや、可視光の軸Ｌ１ｂの角度θｂや、可視光の軸Ｌ１ｃの角度θｃを自在に調整可能な復元弾性力を生じるコイルばね７０Ｂ１，７０Ｂ２と、発光素子１０Ｂ、コリメータレンズ２０Ｂ、雄ねじ部材５０Ｂ、コイルばね７０Ｂ１，７０Ｂ２の一部または全てを収容可能で、雄ねじ部材５０Ｂに対応する雌ねじ部６０Ｂが形成されたボックス部９０Ｂとを備えて構成されている。
【０１３９】
このようにカメラ１０２用の撮像補助装置２が構成されることにより、発光素子１０Ｂから発せられた可視光は、雄ねじ部材５０Ｂ、コイルばね７０Ｂ１，７０Ｂ２などにより調整されて被写体とされる対象物Ｚａ，Ｚｂ，Ｚｃに当てられる。図６および図７に示すカメラ１０２用の撮像補助装置２が構成されることにより、発光素子１０Ｂから発せられ
るコヒーレント可視光が被写体とされる対象物Ｚａ，Ｚｂ，Ｚｃに精度よく略スポット状に照射可能となる。例えば対象物Ｚａ，Ｚｂ，Ｚｃに照射されている可視光の対象物Ｚａ，Ｚｂ，Ｚｃの深度調整いわゆる被写体深度調整などが容易に行われるカメラ１０２用の撮像補助装置２の提供が可能となる。
【０１４０】
雄ねじ部材５０Ｂが手や治工具（何れも図示せず）などによって回動させられることにより、発光素子１０Ｂから出射される可視光の軸Ｌ１ａの角度θａや、可視光の軸Ｌ１ｂの角度θｂや、可視光の軸Ｌ１ｃの角度θｃが自在に調整され、発光素子１０Ｂから出射された可視光を適度に屈折等させて対象物Ｚａ，Ｚｂ，Ｚｃに精度よく当てやすくするコリメータレンズ２０Ｂにより、コリメータレンズ２０Ｂを透過した可視光は、対象物Ｚａ，Ｚｂ，Ｚｃに対して調整されつつ対象物Ｚａ，Ｚｂ，Ｚｃに照射される。ボックス部９０Ｂに装着され、発光素子１０Ｂから出射される可視光の軸Ｌ１ａの角度θａや、可視光の軸Ｌ１ｂの角度θｂや、可視光の軸Ｌ１ｃの角度θｃを自在に調整可能なコイルばね７０Ｂ１に接触している雄ねじ部材５０Ｂが不図示の手や治工具などにより回動させられて、ボックス部９０Ｂに装着されている発光素子１０Ｂを備えたコイルばね７０Ｂ１，７０Ｂ２が変形等させられることにより、発光素子１０Ｂから出射される可視光の軸Ｌ１ａの角度θａや、可視光の軸Ｌ１ｂの角度θｂや、可視光の軸Ｌ１ｃの角度θｃが自在に調整される。また、発光素子１０Ｂから出射された可視光を適度に屈折等させて対象物Ｚａ，Ｚｂ，Ｚｃに精度よく当てやすくするコリメータレンズ２０Ｂにより、例えば対象物Ｚａ，Ｚｂ，Ｚｃに照射されている可視光の対象物Ｚａ，Ｚｂ，Ｚｃの深度調整いわゆる被写体深度調整などが容易に行われる。
【０１４１】
また、雄ねじ部材５０Ｂを回動させることにより行われる発光素子１０Ｂの角度調整は、直接手や治工具などが用いられて人の手で行われるので、廉価な撮像補助装置２が構成される。これに伴って、廉価な撮像補助装置２を備える廉価なカメラ１０２が構成される。
【０１４２】
コイルばね７０Ｂ１，７０Ｂ２に装着された発光素子１０Ｂの角度調整を行うときに、雄ねじ部材５０Ｂを手で回動させてコイルばね７０Ｂ１，７０Ｂ２を弾性変形させることにより、コイルばね７０Ｂ１，７０Ｂ２に装着された発光素子１０Ｂの角度調整が行われる。
【０１４３】
上記カメラ１０２用の撮像補助装置２は、可視光を対象物Ｚａ，Ｚｂ，Ｚｃに照射可能なガイドポインタＰ２を含む構成とされている。詳しく説明すると、上記カメラ１０２用の撮像補助装置２は、可視光により対象物Ｚａ，Ｚｂ，Ｚｃの特定の位置を照射可能なガイドポインタＰ２を含む構成とされている。
【０１４４】
このようにカメラ１０２用の撮像補助装置２が構成されることにより、対象物Ｚａ，Ｚｂ，Ｚｃへの焦点合せ及び対象物Ｚａ，Ｚｂ，Ｚｃの撮像は、比較的精度よく容易に行われる。例えばカメラ１０２に装備される撮像補助装置２は、可視光を対象物Ｚａ，Ｚｂ，Ｚｃに照射可能とさせ可視光により対象物Ｚａ，Ｚｂ，Ｚｃの特定の位置を照射可能なガイドポインタＰ２を含む構成とされているので、ガイドポインタＰ２の発光素子１０Ｂから出射される可視光を対象物Ｚａ，Ｚｂ，Ｚｃに当てることにより、対象物Ｚａ，Ｚｂ，Ｚｃは、ガイドポインタＰ２を含む撮像補助装置２により容易に捉えられる。
【０１４５】
撮像補助装置２の発光素子１０Ｂとして、例えばレーザ光を出射可能なＬＤが用いられて、撮像補助装置２は、レーザ光により特定の位置を照射可能なレーザポインタＰ２を含む構成とされる。レーザポインタＰ２を含む撮像補助装置２が構成されることにより、対象物Ｚａ，Ｚｂ，Ｚｃへの焦点合せ及び対象物Ｚａ，Ｚｂ，Ｚｃの撮像は、精度よく容易に行われる。例えばカメラ１０２に装備される撮像補助装置２は、レーザ光により特定の
位置を照射可能なレーザポインタＰ２を含む構成とされているので、レーザポインタＰ２の発光素子１０Ｂから出射される可視光を対象物Ｚａ，Ｚｂ，Ｚｃに当てることにより、対象物Ｚａ，Ｚｂ，Ｚｃは、レーザポインタＰ２を含む撮像補助装置２により容易に捉えられる。
【０１４６】
又は、撮像補助装置２の発光素子１０Ｂとして、例えばＬＥＤ光を出射可能なＬＥＤが用いられて、撮像補助装置２は、ＬＥＤ光により特定の位置を照射可能なＬＥＤポインタＰ２を含む構成とされる。ＬＥＤポインタＰ２を含む撮像補助装置２が構成されることにより、対象物Ｚａ，Ｚｂ，Ｚｃへの焦点合せ及び対象物Ｚａ，Ｚｂ，Ｚｃの撮像は、精度よく容易に行われる。例えばカメラ１０２に装備される撮像補助装置２は、ＬＥＤ光により特定の位置を照射可能なＬＥＤポインタＰ２を含む構成とされているので、ＬＥＤポインタＰ２の発光素子１０Ｂから出射される可視光を対象物Ｚａ，Ｚｂ，Ｚｃに当てることにより、対象物Ｚａ，Ｚｂ，Ｚｃは、ＬＥＤポインタＰ２を含む撮像補助装置２により容易に捉えられる。
【０１４７】
カメラ１０２用の撮像補助装置２の設計／仕様等により、撮像補助装置２の発光素子１０Ｂから出射される可視光の色は、赤色、青色などの各種の色に設定可能とされる。
【０１４８】
図６の如く、上記カメラ１０２は、上記撮像補助装置２を有するものとされている。
【０１４９】
これにより、被写体とされる対象物Ｚａ，Ｚｂ，Ｚｃへの焦点合せ及び対象物Ｚａ，Ｚｂ，Ｚｃの撮像が行われやすくされたカメラ１０２の提供が可能となる。被写体とされる対象物Ｚａ，Ｚｂ，Ｚｃへの焦点合せ及び対象物Ｚａ，Ｚｂ，Ｚｃの撮像が行われるときに、対象物Ｚａ，Ｚｂ，Ｚｃへの焦点合せ及び対象物Ｚａ，Ｚｂ，Ｚｃの撮像を行わせやすくする撮像補助装置２を少なくとも有するカメラ１０２が構成されることにより、対象物Ｚａ，Ｚｂ，Ｚｃへの焦点合せ及び対象物Ｚａ，Ｚｂ，Ｚｃの撮像が容易に行われやすくなる。
【０１５０】
撮像補助装置２、ガイドポインタＰ２が備えられたカメラ１０２を用いて被写体深度の調整が行われるときの設定方法について説明する。
【０１５１】
被写体とされる対象物Ｚａ，Ｚｂ，Ｚｃへ撮像補助装置２を有するＣＭＯＳ／ＣＣＤカメラ１０２を向け、撮像補助装置２の発光素子１０Ｂから出射されコリメータレンズ２０Ｂにより略平行光とされた可視光を被写体とされる対象物Ｚａ，Ｚｂ，Ｚｃに照射させ、そのときに、撮像補助装置２のねじ部材５０Ｂを手などで回動させて可視光の光軸角度調整を行うことで対象物Ｚａ，Ｚｂ，Ｚｃに照射された可視光の深度調整を行い、これと共に、カメラ１０２に装備されたフィールドレンズ２２２を備える回動可能リング２０２等を手などで調整して、対象物Ｚａ，Ｚｂ，Ｚｃへのカメラ１０２の焦点合せを行ったのちに、例えば撮像補助装置２の発光素子１０Ｂから出射される可視光を消灯させ、カメラ１０２を用いて被写体とされる対象物Ｚａ，Ｚｂ，Ｚｃの撮像を行う。
【０１５２】
例えば、カメラ１０２内の撮像素子１００Ｂから対象物Ｚａまでの距離Ｌａを被写体距離Ｌａと定め、カメラ１０２内の撮像素子１００Ｂから対象物Ｚｂまでの距離Ｌｂを被写体距離Ｌｂと定め、カメラ１０２内の撮像素子１００Ｂから対象物Ｚｃまでの距離Ｌｃを被写体距離Ｌｃと定めたときに、被写体深度の調整は、被写体距離Ｌａと被写体距離Ｌｃとの間で行われる。
【０１５３】
ＣＭＯＳ／ＣＣＤカメラ１０２を使用して対象物Ｚａ，Ｚｂ，Ｚｃの像を得る場合、例えば、対象物Ｚａ，Ｚｂ，Ｚｃがカメラ１０２の光軸Ｌ０、被写体深度の範囲に入るようにカメラ１０２からの出力映像を見ながらカメラ１０２の角度設定を行う。その設定を補
助するのに、レーザ光／ＬＥＤ光等の光源を用いたガイドポインタＰ２を使用する。
【０１５４】
カメラ１０２を対象物Ｚａ，Ｚｂ，Ｚｃに向けると共に、ガイドポインタＰ２から出射されるレーザ光／ＬＥＤ光などの光を対象物Ｚａ，Ｚｂ，Ｚｃに当てる。そのときに、対象物Ｚａ，Ｚｂ，Ｚｃがカメラ１０２の光軸Ｌ０、被写体深度範囲にあることをカメラモニタ（図示せず）等を介して目視にて直接確認する。このときに、被写体深度調整などを行うために手動でねじ部材５０Ｂを回すことにより、レーザ光／ＬＥＤ光などの光を発する発光素子１０Ｂの一部が押されたり引かれたりする。これにより、レーザ光／ＬＥＤ光などの光を発する発光素子１０Ｂの光軸Ｌ１ａ，Ｌ１ｂ，Ｌ１ｃの仰角をθａからθｃ迄調整できる。
【０１５５】
手動でねじ部材５０Ｂを回して、レーザ光／ＬＥＤ光などの光を発する発光素子１０Ｂが引かれるときに、ねじ部材５０Ｂで押されるコイルばね７０Ｂ１，７０Ｂ２は、コイルばね７０Ｂ１，７０Ｂ２自身から生じる復元弾性力により例えば反発力が発生し、ねじ部材５０Ｂに対してコイルばね７０Ｂ１が常に接する。これにより、発光素子１０Ｂの仰角の範囲内で発光素子１０Ｂの角度設定を自在にできると共に設定された角度θａ，θｂ，θｃを確実に固定できるようになる。
【０１５６】
ガイドポインタＰ２を備える撮像補助装置２は、このように調整できる機能を具備する。ガイドポインタＰ２の角度調整が手動で行われる構造とされているため、ガイドポインタＰ２を廉価で具備可能なカメラ１０２を提供することができる。
【０１５７】
上記撮像補助装置２や上記撮像補助装置２を有する上記カメラ１０２は、例えば、試験装置や、半田付け装置などの各種装置に装備されて使用されることが好ましい。
【０１５８】
また、上記カメラ１０２等の撮像装置１０２に代えて、例えば液晶プロジェクタ（１０２）等の映像装置（１０２）が用いられてもよい。そのときに、上記撮像補助装置２は映像補助装置２として用いられてもよい。詳しく説明すると、上記撮像補助装置２は、例えばカメラ１０２等の撮像装置１０２が用いられて被写体とされる対象物Ｚａ，Ｚｂ，Ｚｃの撮像が行われるときに、対象物Ｚａ，Ｚｂ，Ｚｃの撮像を行わせやすくする撮像補助装置２とされているが、例えば液晶プロジェクタ（１０２）等の映像装置（１０２）が用いられて不図示のスクリーン等の対象物Ｚａ，Ｚｂ，Ｚｃに映像を映し出させるときに、対象物Ｚａ，Ｚｂ，Ｚｃへ映像を映し出させやすくする映像補助装置２として用いられてもよい。
【０１５９】
スクリーン等の対象物Ｚａ，Ｚｂ，Ｚｃへ映像補助装置２を有する液晶プロジェクタ（１０２）を向け、映像補助装置２の発光素子１０Ｂから出射されコリメータレンズ２０Ｂにより略平行光とされた可視光をスクリーン等の対象物Ｚａ，Ｚｂ，Ｚｃに照射させ、そのときに、映像補助装置２のねじ部材５０Ｂを手などで回動させて可視光の光軸角度調整を行うことで対象物Ｚａ，Ｚｂ，Ｚｃに照射された可視光の深度調整を行い、これと共に、液晶プロジェクタ（１０２）に装備されたレンズ（２２２）を備える回動可能リング（２０２）等を手などで調整して、対象物Ｚａ，Ｚｂ，Ｚｃへの液晶プロジェクタ（１０２）の焦点合せを行ったのちに、例えば映像補助装置２の発光素子１０Ｂから出射される可視光を消灯させ、液晶プロジェクタ（１０２）を用いてスクリーン等の対象物Ｚａ，Ｚｂ，Ｚｃへ映像を映し出させる。
【実施例３】
【０１６０】
次に、本発明に係る撮像／映像補助装置およびそれを備える撮像／映像装置の第三の実施形態について、図８を用いて詳細に説明する。
【０１６１】
図８は、本発明に係る撮像／映像補助装置およびそれを備える撮像／映像装置の第三の実施形態を示す説明図である。
【０１６２】
図８に示す撮像／映像補助装置３およびそれを備える撮像／映像装置１０３は、図１〜図５に示す撮像／映像補助装置１およびそれを備える撮像／映像装置１０１の形態、並びに、図６及び図７に示す撮像／映像補助装置２およびそれを備える撮像／映像装置１０２の形態に類似した形態とされている。
【０１６３】
例えば、第一の実施形態における撮像／映像補助装置１（図１〜図５）およびそれを備える撮像／映像装置１０２（図１）においては、発光素子１０Ａ（図１〜図５）、光学部材２０Ａ等を備えるポインタＰ１（図１）が一つとされている。また、第二の実施形態における撮像／映像補助装置２（図６，図７）およびそれを備える撮像／映像装置１０２（図６）においても、発光素子１０Ｂ（図７）、光学部材２０Ｂ等を備えるポインタＰ２（図６，図７）が一つとされている。また、第三の実施形態における撮像／映像補助装置３（図８）およびそれを備える撮像／映像装置１０３においても、発光素子１０Ｃ、光学部材２０Ｃ等を備えるポインタＰ３が一つとされている。実施例３において、実施例１および実施例２で説明したものと略同じものについては、その詳細な説明を省略した。
【０１６４】
撮像補助装置３を構成する発光素子１０Ｃとして、例えば上記波長のレーザ光を出射可能なＬＤが用いられる。また、撮像補助装置３を構成する発光素子１０Ｃとして、例えば上記波長のＬＥＤ光を出射可能なＬＥＤが用いられる。発光素子１０Ｃは、例えばレーザ光および／またはＬＥＤ光を出射可能な光源として構成されている。例えば発光素子１０Ｃは、コヒーレント可視光を出射可能な光源として構成されている。
【０１６５】
また、撮像補助装置３を構成する光学部材２０Ｃとして、例えば無色透明もしくは略無色透明のガラスもしくは合成樹脂材料製のレンズ２０Ｃが用いられる。具体的に説明すると、光学部材２０Ｃとして、発光素子１０Ｃから出射された可視拡大光を略可視平行光とさせる略無色透明の合成樹脂材料製コリメータレンズ２０Ｃが用いられる。コリメータレンズ２０Ｃは、例えば発光素子１０Ｃからレンズ２０Ｃに入射された光を平行光もしくは略平行光とさせて出射させる。
【０１６６】
また、撮像装置１０３として、例えば静止画および／または動画などの映像および／または音声を記録可能なカメラ１０３が用いられる。このカメラ１０３は、例えばＵＳＢに対応したビデオカメラ１０３とされている。
【０１６７】
また、このカメラ１０３に内蔵される固体撮像素子（図示せず）は、例えば略二百万画素などの数百万〜数千万画素のＣＭＯＳイメージセンサを有するものとされている。カメラ１０３の設計／仕様等により、ＣＭＯＳに代えて例えばＣＣＤ等が用いられてもよい。不図示の固体撮像素子の総画素数は、例えば１６２４×１２２４ピクセルとされる。また、固体撮像素子の有効画素数は、例えば１６００（水平）×１２００（垂直）ピクセルとされ、いわゆるＵＸＧＡに基づいたものとされる。また、固体撮像素子の画素サイズは、例えば３．０×３．０μｍとされ、固体撮像素子の撮像面積は、例えば４８７２×３６７２μｍとされる。
【０１６８】
また、このカメラ１０３に内蔵されるカラーフィルタ（図示せず）は、例えば「Ｂａｙｅｒ  Ｐａｔｔｅｒｎ」のＲＧＢに基づくものとされている。
【０１６９】
また、このカメラ１０３は、センサモジュール１００等を有するカメラモジュール（図示せず）を内部に備えた低コストカメラ１０３とされている。また、このカメラ１０３は、必要に応じてハーフミラー（図示せず）を内部に備える。
【０１７０】
不図示のＣＭＯＳイメージセンサ等の撮像素子、カラーフィルタ、センサモジュール１００等を有するカメラモジュールや、ハーフミラー等は、カメラ１０３を構成する略矩形箱状の筐体１１３いわゆるケース１１３内に装備される。
【０１７１】
また、このカメラ１０３は、例えばフィールドレンズ２３０を備える回動可能リング２１０や接写リング２５０を有する補助器具１２５いわゆるアダプタ１２５を備え、対象物／被写体（図示せず）の光の深度調整が可能なカメラ１０３として構成される。
【０１７２】
この撮像補助装置３は、例えばカメラ１０３が用いられて被写体とされる対象物の撮像が行われるときに、対象物の撮像を行わせやすくするカメラ１０３用の撮像補助装置３とされている。
【０１７３】
また、上記カメラ１０３に備えられる上記撮像補助装置３は、一個の発光素子１０Ｃおよび一個のコリメータレンズ２０Ｃがカメラ１０３のケース１１３の外側に位置する例えば１ビーム・レンズ外方式の撮像補助装置３とされている。
【０１７４】
カメラ１０３が用いられて対象物への焦点合せ及び対象物の撮像を行わせやすくするために、このカメラ１０３用の撮像補助装置３は、コヒーレント可視光を発する発光素子１０Ｃと、発光素子１０Ｃから出射されたコヒーレント可視光を適度に屈折等させて対象物に精度よく当てやすくするコリメータレンズ２０Ｃと、発光素子１０Ｃの角度を調整させることで発光素子１０Ｃから出射されるコヒーレント可視光の軸Ｌ１の角度を自在に調整可能なねじ部材などの調整部材（図示せず）とを備えて構成される。
【０１７５】
図８に示すカメラ１０３用の撮像補助装置３が構成されることにより、発光素子１０Ｃから発せられるコヒーレント可視光が被写体とされる対象物に精度よく略スポット状に照射可能となる。例えば対象物に照射される可視光の対象物の深度調整いわゆる被写体深度調整などが容易に行われるカメラ１０３用の撮像補助装置３の提供が可能となる。
【０１７６】
上記カメラ１０３用の撮像補助装置３は、コヒーレント可視光を対象物に照射可能なガイドポインタＰ３を含む構成とされている。詳しく説明すると、上記カメラ１０３用の撮像補助装置３は、コヒーレント可視光により対象物の特定の位置を照射可能なガイドポインタＰ３を含む構成とされている。
【０１７７】
このようにカメラ１０３用の撮像補助装置３が構成されることにより、対象物への焦点合せ及び対象物の撮像は、比較的精度よく容易に行われる。例えばカメラ１０３に装備される撮像補助装置３は、コヒーレント可視光を対象物に照射可能とさせコヒーレント可視光により対象物の特定の位置を照射可能なガイドポインタＰ３を含む構成とされているので、ガイドポインタＰ３の発光素子１０Ｃから出射されるコヒーレント可視光を対象物に当てることにより、対象物は、ガイドポインタＰ３を含む撮像補助装置３により容易に捉えられる。
【０１７８】
撮像補助装置３の発光素子１０Ｃとして、例えばレーザ光を出射可能なＬＤが用いられて、撮像補助装置３は、レーザ光により特定の位置を照射可能なレーザポインタＰ３を含む構成とされる。レーザポインタＰ３を含む撮像補助装置３が構成されることにより、対象物への焦点合せ及び対象物の撮像は、精度よく容易に行われる。例えばカメラ１０３に装備される撮像補助装置３は、レーザ光により特定の位置を照射可能なレーザポインタＰ３を含む構成とされているので、レーザポインタＰ３の発光素子１０Ｃから出射されるコヒーレント可視光を対象物に当てることにより、対象物は、レーザポインタＰ３を含む撮像補助装置３により容易に捉えられる。
【０１７９】
又は、撮像補助装置３の発光素子１０Ｃとして、例えばＬＥＤ光を出射可能なＬＥＤが用いられて、撮像補助装置３は、ＬＥＤ光により特定の位置を照射可能なＬＥＤポインタＰ３を含む構成とされる。ＬＥＤポインタＰ３を含む撮像補助装置３が構成されることにより、対象物への焦点合せ及び対象物の撮像は、精度よく容易に行われる。例えばカメラ１０３に装備される撮像補助装置３は、ＬＥＤ光により特定の位置を照射可能なＬＥＤポインタＰ３を含む構成とされているので、ＬＥＤポインタＰ３の発光素子１０Ｃから出射されるコヒーレント可視光を対象物に当てることにより、対象物は、ＬＥＤポインタＰ３を含む撮像補助装置３により容易に捉えられる。
【０１８０】
カメラ１０３用の撮像補助装置３の設計／仕様等により、撮像補助装置３の発光素子１０Ｃから出射されるコヒーレント可視光の色は、赤色、青色などの各種の色に設定可能とされる。
【０１８１】
図８の如く、上記カメラ１０３は、上記撮像補助装置３を有するものとされている。
【０１８２】
これにより、被写体とされる対象物への焦点合せ及び対象物の撮像が行われやすくされたカメラ１０３の提供が可能となる。被写体とされる対象物への焦点合せ及び対象物の撮像が行われるときに、対象物への焦点合せ及び対象物の撮像を行わせやすくする撮像補助装置３を少なくとも有するカメラ１０３が構成されることにより、対象物への焦点合せ及び対象物の撮像が容易に行われやすくなる。
【０１８３】
撮像補助装置３、ガイドポインタＰ３が備えられたカメラ１０３を用いて被写体深度の調整が行われるときの設定方法について説明する。
【０１８４】
被写体とされる対象物へ撮像補助装置３を有するＣＭＯＳ／ＣＣＤカメラ１０３を向け、撮像補助装置３の発光素子１０Ｃから出射されコリメータレンズ２０Ｃにより略平行光とされたコヒーレント可視光を被写体とされる対象物に照射させ、そのときに、撮像補助装置３を手などで回動させてコヒーレント可視光の光軸角度調整を行うことで対象物に照射された可視光の深度調整を行い、これと共に、カメラ１０３に装備されたフィールドレンズ２３０を備える回動可能リング２１０等を手などで調整して、対象物へのカメラ１０３の焦点合せを行ったのちに、例えば撮像補助装置３の発光素子１０Ｃから出射されるコヒーレント可視光を消灯させ、カメラ１０３を用いて被写体とされる対象物の撮像を行う。
【０１８５】
ＣＭＯＳ／ＣＣＤカメラ１０３を使用して対象物の像を得る場合、例えば、対象物がカメラ１０３の光軸Ｌ０、被写体深度の範囲に入るようにカメラ１０３からの出力映像を見ながらカメラ１０３の角度設定を行う。その設定を補助するのに、レーザ光／ＬＥＤ光等の光源を用いたガイドポインタＰ３を使用する。
【０１８６】
カメラ１０３を対象物に向けると共に、ガイドポインタＰ３から出射されるレーザ光／ＬＥＤ光などの光を対象物に当てる。そのときに、対象物がカメラ１０３の光軸Ｌ０、被写体深度範囲にあることをカメラモニタ（図示せず）等を介して目視にて直接確認する。このときに、レーザ光／ＬＥＤ光などの光を発する発光素子１０Ｃの光軸Ｌ１の仰角を手動で調整する。
【０１８７】
ガイドポインタＰ３の角度調整が手動で行われる構造とされているため、ガイドポインタＰ３を廉価で具備可能なカメラ１０３を提供することができる。
【０１８８】
上記撮像補助装置３や上記撮像補助装置３を有する上記カメラ１０３は、例えば、試験
装置や、半田付け装置などの各種装置に装備されて使用されることが好ましい。
【０１８９】
また、上記カメラ１０３等の撮像装置１０３に代えて、例えば液晶プロジェクタ（１０３）等の映像装置（１０３）が用いられてもよい。そのときに、上記撮像補助装置３は映像補助装置３として用いられてもよい。詳しく説明すると、上記撮像補助装置３は、例えばカメラ１０３等の撮像装置１０３が用いられて被写体とされる対象物の撮像が行われるときに、対象物の撮像を行わせやすくする撮像補助装置３とされているが、例えば液晶プロジェクタ（１０３）等の映像装置（１０３）が用いられて不図示のスクリーン等の対象物に映像を映し出させるときに、対象物へ映像を映し出させやすくする映像補助装置３として用いられてもよい。
【０１９０】
スクリーン等の対象物へ映像補助装置３を有する液晶プロジェクタ（１０３）を向け、映像補助装置３の発光素子１０Ｃから出射されコリメータレンズ２０Ｃにより略平行光とされたコヒーレント可視光をスクリーン等の対象物に照射させ、そのときに、映像補助装置３の不図示のねじ部材等を手などで回動させてコヒーレント可視光の光軸角度調整を行うことで対象物に照射された可視光の深度調整を行い、これと共に、液晶プロジェクタ（１０３）に装備されたレンズ（２３０）を備える回動可能リング（２１０）等を手などで調整して、対象物への液晶プロジェクタ（１０３）の焦点合せを行ったのちに、例えば映像補助装置３の発光素子１０Ｃから出射されるコヒーレント可視光を消灯させ、液晶プロジェクタ（１０３）を用いてスクリーン等の対象物へ映像を映し出させる。
【実施例４】
【０１９１】
次に、本発明に係る撮像／映像補助装置およびそれを備える撮像／映像装置の第四の実施形態について、図９を用いて詳細に説明する。
【０１９２】
図９は、本発明に係る撮像／映像補助装置およびそれを備える撮像／映像装置の第四の実施形態を示す説明図である。
【０１９３】
第三の実施形態における撮像／映像補助装置３（図８）およびそれを備える撮像／映像装置１０３と、第四の実施形態における撮像／映像補助装置４（図９）およびそれを備える撮像／映像装置１０４との差異部について説明すると、第三の実施形態における撮像／映像補助装置３（図８）およびそれを備える撮像／映像装置１０３においては、発光素子１０Ｃ、光学部材２０Ｃ等を備えるポインタＰ３が一つとされているのに対し、第四の実施形態における撮像／映像補助装置４（図９）およびそれを備える撮像／映像装置１０４においては、第一発光素子１０Ｄａ、第一光学部材２０Ｄａ等を備える第一ポインタＰ４ａと、第二発光素子１０Ｄｂ、第二光学部材２０Ｄｂ等を備える第二ポインタＰ４ｂとの二つのポインタＰ４ａ，Ｐ４ｂが備えられている。
【０１９４】
他の部分においては、図８に示す実施例３の撮像／映像補助装置３およびそれを備える撮像／映像装置１０３と、図９に示す実施例４の撮像／映像補助装置４およびそれを備える撮像／映像装置１０４とは、全て同一とされている。実施例４において、実施例３にて説明したものと同一のものについては、同一の符号を付し、その詳細な説明を省略した。また、実施例１および実施例２で説明したものと略同じものについても、その詳細な説明を省略した。
【０１９５】
撮像補助装置４を構成する一対の発光素子１０Ｄａ，１０Ｄｂとして、例えば上記波長のレーザ光を出射可能なＬＤが用いられる。また、撮像補助装置４を構成する一対の発光素子１０Ｄａ，１０Ｄｂとして、例えば上記波長のＬＥＤ光を出射可能なＬＥＤが用いられる。一対の発光素子１０Ｄａ，１０Ｄｂは、例えばレーザ光および／またはＬＥＤ光を出射可能な一対の光源として構成されている。例えば発光素子１０Ｄａ，１０Ｄｂは、コ
ヒーレント可視光を出射可能な光源として構成されている。
【０１９６】
また、撮像補助装置４を構成する一対の光学部材２０Ｄａ，２０Ｄｂとして、例えば無色透明もしくは略無色透明のガラスもしくは合成樹脂材料製の一対のレンズ２０Ｄａ，２０Ｄｂが用いられる。具体的に説明すると、一対の光学部材２０Ｄａ，２０Ｄｂとして、一対の発光素子１０Ｄａ，１０Ｄｂから出射された可視拡大光を略可視平行光とさせる略無色透明の一対の合成樹脂材料製コリメータレンズ２０Ｄａ，２０Ｄｂが用いられる。コリメータレンズ２０Ｄａ，２０Ｄｂは、例えば発光素子１０Ｄａ，１０Ｄｂからレンズ２０Ｄａ，２０Ｄｂに入射された光を平行光もしくは略平行光とさせて出射させる。
【０１９７】
また、撮像装置１０４として、例えば静止画および／または動画などの映像および／または音声を記録可能なカメラ１０４が用いられる。このカメラ１０４は、例えばＵＳＢに対応したビデオカメラ１０４とされている。
【０１９８】
また、このカメラ１０４に内蔵される固体撮像素子（図示せず）は、例えば略二百万画素などの数百万〜数千万画素のＣＭＯＳイメージセンサを有するものとされている。カメラ１０４の設計／仕様等により、ＣＭＯＳに代えて例えばＣＣＤ等が用いられてもよい。不図示の固体撮像素子の総画素数は、例えば１６２４×１２２４ピクセルとされる。また、固体撮像素子の有効画素数は、例えば１６００（水平）×１２００（垂直）ピクセルとされ、いわゆるＵＸＧＡに基づいたものとされる。また、固体撮像素子の画素サイズは、例えば３．０×３．０μｍとされ、固体撮像素子の撮像面積は、例えば４８７２×３６７２μｍとされる。
【０１９９】
また、このカメラ１０４に内蔵されるカラーフィルタ（図示せず）は、例えば「Ｂａｙｅｒ  Ｐａｔｔｅｒｎ」のＲＧＢに基づくものとされている。
【０２００】
また、このカメラ１０４は、センサモジュール１００等を有するカメラモジュール（図示せず）を内部に備えた低コストカメラ１０４とされている。また、このカメラ１０４は、必要に応じてハーフミラー（図示せず）を内部に備える。
【０２０１】
不図示のＣＭＯＳイメージセンサ等の撮像素子、カラーフィルタ、センサモジュール１００等を有するカメラモジュールや、ハーフミラー等は、カメラ１０４を構成する略矩形箱状の筐体１１４いわゆるケース１１４内に装備される。
【０２０２】
また、このカメラ１０４は、例えばフィールドレンズ２３０を備える回動可能リング２１０や接写リング２５０を有する補助器具１２５いわゆるアダプタ１２５を備え、対象物／被写体（図示せず）の光の深度調整が可能なカメラ１０４として構成される。
【０２０３】
この撮像補助装置４は、例えばカメラ１０４が用いられて被写体とされる対象物の撮像が行われるときに、対象物の撮像を行わせやすくするカメラ１０４用の撮像補助装置４とされている。
【０２０４】
また、上記カメラ１０４に備えられる上記撮像補助装置４は、一対の発光素子１０Ｄａ，１０Ｄｂおよび一対のコリメータレンズ２０Ｄａ，２０Ｄｂがカメラ１０４のケース１１４の外側に位置する例えば２ビーム・レンズ外方式の撮像補助装置４とされている。
【０２０５】
カメラ１０４が用いられて対象物への焦点合せ及び対象物の撮像を行わせやすくするために、このカメラ１０４用の撮像補助装置４は、コヒーレント可視光を発する一対の発光素子１０Ｄａ，１０Ｄｂと、一対の発光素子１０Ｄａ，１０Ｄｂから出射されたコヒーレント可視光を適度に屈折等させて対象物に精度よく当てやすくする一対のコリメータレン
ズ２０Ｄａ，２０Ｄｂと、一対の発光素子１０Ｄａ，１０Ｄｂの角度を調整させることで一対の発光素子１０Ｄａ，１０Ｄｂから出射されるコヒーレント可視光の各軸Ｌ１ａ，Ｌ１ｂの角度を自在に調整可能な一対のねじ部材などの調整部材（図示せず）とを備えて構成される。
【０２０６】
図９に示すカメラ１０４用の撮像補助装置４が構成されることにより、一対の発光素子１０Ｄａ，１０Ｄｂから発せられるコヒーレント可視光が被写体とされる対象物に各々精度よく略スポット状に照射可能となる。例えば対象物に照射される可視光の対象物の深度調整いわゆる被写体深度調整などが容易に行われるカメラ１０４用の撮像補助装置４の提供が可能となる。
【０２０７】
上記カメラ１０４用の撮像補助装置４は、コヒーレント可視光を対象物に照射可能な一対のガイドポインタＰ４ａ，Ｐ４ｂを含む構成とされている。詳しく説明すると、上記カメラ１０４用の撮像補助装置４は、コヒーレント可視光により対象物の特定の位置を照射可能な一対のガイドポインタＰ４ａ，Ｐ４ｂを含む構成とされている。
【０２０８】
このようにカメラ１０４用の撮像補助装置４が構成されることにより、対象物への焦点合せ及び対象物の撮像は、比較的精度よく容易に行われる。例えばカメラ１０４に装備される撮像補助装置４は、コヒーレント可視光を対象物に照射可能とさせコヒーレント可視光により対象物の特定の位置を照射可能な一対のガイドポインタＰ４ａ，Ｐ４ｂを含む構成とされているので、各ガイドポインタＰ４ａ，Ｐ４ｂの発光素子１０Ｄａ，１０Ｄｂから出射されるコヒーレント可視光を対象物に当てることにより、対象物は、一対のガイドポインタＰ４ａ，Ｐ４ｂを含む撮像補助装置４により容易に捉えられる。
【０２０９】
撮像補助装置４を構成する一対の発光素子１０Ｄａ，１０Ｄｂとして、例えばレーザ光を出射可能なＬＤが用いられて、撮像補助装置４は、レーザ光により特定の位置を照射可能な一対のレーザポインタＰ４ａ，Ｐ４ｂを含む構成とされる。一対のレーザポインタＰ４ａ，Ｐ４ｂを含む撮像補助装置４が構成されることにより、対象物への焦点合せ及び対象物の撮像は、精度よく容易に行われる。例えばカメラ１０４に装備される撮像補助装置４は、レーザ光により特定の位置を照射可能な一対のレーザポインタＰ４ａ，Ｐ４ｂを含む構成とされているので、各レーザポインタＰ４ａ，Ｐ４ｂの発光素子１０Ｄａ，１０Ｄｂから出射されるコヒーレント可視光を対象物に当てることにより、対象物は、一対のレーザポインタＰ４ａ，Ｐ４ｂを含む撮像補助装置４により容易に捉えられる。
【０２１０】
又は、撮像補助装置４を構成する一対の発光素子１０Ｄａ，１０Ｄｂとして、例えばＬＥＤ光を出射可能なＬＥＤが用いられて、撮像補助装置４は、ＬＥＤ光により特定の位置を照射可能な一対のＬＥＤポインタＰ４ａ，Ｐ４ｂを含む構成とされる。一対のＬＥＤポインタＰ４ａ，Ｐ４ｂを含む撮像補助装置４が構成されることにより、対象物への焦点合せ及び対象物の撮像は、精度よく容易に行われる。例えばカメラ１０４に装備される撮像補助装置４は、ＬＥＤ光により特定の位置を照射可能な一対のＬＥＤポインタＰ４ａ，Ｐ４ｂを含む構成とされているので、各ＬＥＤポインタＰ４ａ，Ｐ４ｂの発光素子１０Ｄａ，１０Ｄｂから出射されるコヒーレント可視光を対象物に当てることにより、対象物は、一対のＬＥＤポインタＰ４ａ，Ｐ４ｂを含む撮像補助装置４により容易に捉えられる。
【０２１１】
カメラ１０４用の撮像補助装置４の設計／仕様等により、撮像補助装置４を構成する一対の発光素子１０Ｄａ，１０Ｄｂから出射されるコヒーレント可視光の色は、赤色、青色などの各種の色に設定可能とされる。
【０２１２】
図９の如く、上記カメラ１０４は、上記撮像補助装置４を有するものとされている。
【０２１３】
これにより、被写体とされる対象物への焦点合せ及び対象物の撮像が行われやすくされたカメラ１０４の提供が可能となる。被写体とされる対象物への焦点合せ及び対象物の撮像が行われるときに、対象物への焦点合せ及び対象物の撮像を行わせやすくする撮像補助装置４を少なくとも有するカメラ１０４が構成されることにより、対象物への焦点合せ及び対象物の撮像が容易に行われやすくなる。
【０２１４】
撮像補助装置４、一対のガイドポインタＰ４ａ，Ｐ４ｂが備えられたカメラ１０４を用いて被写体深度の調整が行われるときの設定方法について説明する。
【０２１５】
被写体とされる対象物へ撮像補助装置４を有するＣＭＯＳ／ＣＣＤカメラ１０４を向け、撮像補助装置４を構成する一対の発光素子１０Ｄａ，１０Ｄｂから出射され一対のコリメータレンズ２０Ｄａ，２０Ｄｂにより略平行光とされたコヒーレント可視光を被写体とされる対象物に照射させ、そのときに、撮像補助装置４を手などで回動させてコヒーレント可視光の光軸角度調整を行うことで対象物に照射された可視光の深度調整を行い、これと共に、カメラ１０４に装備されたフィールドレンズ２３０を備える回動可能リング２１０等を手などで調整して、対象物へのカメラ１０４の焦点合せを行ったのちに、例えば撮像補助装置４を構成する一対の発光素子１０Ｄａ，１０Ｄｂから出射されるコヒーレント可視光を消灯させ、カメラ１０４を用いて被写体とされる対象物の撮像を行う。
【０２１６】
ＣＭＯＳ／ＣＣＤカメラ１０４を使用して対象物の像を得る場合、例えば、対象物がカメラ１０４の光軸Ｌ０、被写体深度の範囲に入るようにカメラ１０４からの出力映像を見ながらカメラ１０４の角度設定を行う。その設定を補助するのに、レーザ光／ＬＥＤ光等の光源を用いた一対のガイドポインタＰ４ａ，Ｐ４ｂを使用する。
【０２１７】
カメラ１０４を対象物に向けると共に、一対のガイドポインタＰ４ａ，Ｐ４ｂから出射されるレーザ光／ＬＥＤ光などの光を対象物に当てる。そのときに、対象物がカメラ１０４の光軸Ｌ０、被写体深度範囲にあることをカメラモニタ（図示せず）等を介して目視にて直接確認する。このときに、レーザ光／ＬＥＤ光などの光を発する一対の発光素子１０Ｄａ，１０Ｄｂの光軸Ｌ１ａ，Ｌ１ｂの仰角を手動で調整する。
【０２１８】
一対のガイドポインタＰ４ａ，Ｐ４ｂの角度調整が手動で行われる構造とされているため、ガイドポインタＰ４ａ，Ｐ４ｂを廉価で具備可能なカメラ１０４を提供することができる。
【０２１９】
上記撮像補助装置４や上記撮像補助装置４を有する上記カメラ１０４は、例えば、試験装置や、半田付け装置などの各種装置に装備されて使用されることが好ましい。
【０２２０】
また、上記カメラ１０４等の撮像装置１０４に代えて、例えば液晶プロジェクタ（１０４）等の映像装置（１０４）が用いられてもよい。そのときに、上記撮像補助装置４は映像補助装置４として用いられてもよい。詳しく説明すると、上記撮像補助装置４は、例えばカメラ１０４等の撮像装置１０４が用いられて被写体とされる対象物の撮像が行われるときに、対象物の撮像を行わせやすくする撮像補助装置４とされているが、例えば液晶プロジェクタ（１０４）等の映像装置（１０４）が用いられて不図示のスクリーン等の対象物に映像を映し出させるときに、対象物へ映像を映し出させやすくする映像補助装置４として用いられてもよい。
【０２２１】
スクリーン等の対象物へ映像補助装置４を有する液晶プロジェクタ（１０４）を向け、映像補助装置４の発光素子１０Ｄａ，１０Ｄｂから出射されコリメータレンズ２０Ｄａ，２０Ｄｂにより略平行光とされたコヒーレント可視光をスクリーン等の対象物に照射させ、そのときに、映像補助装置４の不図示のねじ部材等を手などで回動させてコヒーレント
可視光の光軸角度調整を行うことで対象物に照射された可視光の深度調整を行い、これと共に、液晶プロジェクタ（１０４）に装備されたレンズ（２３０）を備える回動可能リング（２１０）等を手などで調整して、対象物への液晶プロジェクタ（１０４）の焦点合せを行ったのちに、例えば映像補助装置４の発光素子１０Ｄａ，１０Ｄｂから出射されるコヒーレント可視光を消灯させ、液晶プロジェクタ（１０４）を用いてスクリーン等の対象物へ映像を映し出させる。
【実施例５】
【０２２２】
次に、本発明に係る撮像／映像補助装置およびそれを備える撮像／映像装置の第五の実施形態について、図１０を用いて詳細に説明する。
【０２２３】
図１０は、本発明に係る撮像／映像補助装置およびそれを備える撮像／映像装置の第五の実施形態を示す説明図である。
【０２２４】
第三の実施形態における撮像／映像補助装置３（図８）およびそれを備える撮像／映像装置１０３と、第五の実施形態における撮像／映像補助装置５（図１０）およびそれを備える撮像／映像装置１０５との差異部について説明すると、第三の実施形態における撮像／映像補助装置３（図８）およびそれを備える撮像／映像装置１０３においては、撮像／映像装置１０３に備えられる撮像補助装置３は、一個の発光素子１０Ｃおよび一個の光学部材２０Ｃが撮像／映像装置１０３の筐体１１３の外側に位置する例えば１ビーム・レンズ外方式の撮像補助装置３とされているのに対し、第五の実施形態における撮像／映像補助装置５（図１０）およびそれを備える撮像／映像装置１０５においては、撮像／映像装置１０５に備えられる撮像補助装置５は、一個の発光素子１０Ｅおよび一個の光学部材２０Ｅが撮像／映像装置１０５の筐体１１５の内側に位置する例えば１ビーム・レンズ内方式の撮像補助装置５とされている。また、第五の実施形態における撮像／映像装置１０５は、一個のミラー１１０を内部に備えて構成されている。
【０２２５】
他の部分においては、図８に示す実施例３の撮像／映像補助装置３およびそれを備える撮像／映像装置１０３と、図１０に示す実施例５の撮像／映像補助装置５およびそれを備える撮像／映像装置１０５とは、全て同一とされている。実施例５において、実施例３にて説明したものと同一のものについては、同一の符号を付し、その詳細な説明を省略した。また、実施例１および実施例２で説明したものと略同じものについても、その詳細な説明を省略した。
【０２２６】
撮像補助装置５を構成する発光素子１０Ｅとして、例えば上記波長のレーザ光を出射可能なＬＤが用いられる。また、撮像補助装置５を構成する発光素子１０Ｅとして、例えば上記波長のＬＥＤ光を出射可能なＬＥＤが用いられる。発光素子１０Ｅは、例えばレーザ光および／またはＬＥＤ光を出射可能な光源として構成されている。例えば発光素子１０Ｅは、コヒーレント可視光を出射可能な光源として構成されている。
【０２２７】
また、撮像補助装置５を構成する光学部材２０Ｅとして、例えば無色透明もしくは略無色透明のガラスもしくは合成樹脂材料製のレンズ２０Ｅが用いられる。具体的に説明すると、光学部材２０Ｅとして、発光素子１０Ｅから出射された可視拡大光を略可視平行光とさせる略無色透明の合成樹脂材料製コリメータレンズ２０Ｅが用いられる。コリメータレンズ２０Ｅは、例えば発光素子１０Ｅからレンズ２０Ｅに入射された光を平行光もしくは略平行光とさせて出射させる。
【０２２８】
また、撮像装置１０５として、例えば静止画および／または動画などの映像および／または音声を記録可能なカメラ１０５が用いられる。このカメラ１０５は、例えばＵＳＢに対応したビデオカメラ１０５とされている。
【０２２９】
また、このカメラ１０５に内蔵される固体撮像素子（図示せず）は、例えば略二百万画素などの数百万〜数千万画素のＣＭＯＳイメージセンサを有するものとされている。カメラ１０５の設計／仕様等により、ＣＭＯＳに代えて例えばＣＣＤ等が用いられてもよい。不図示の固体撮像素子の総画素数は、例えば１６２４×１２２４ピクセルとされる。また、固体撮像素子の有効画素数は、例えば１６００（水平）×１２００（垂直）ピクセルとされ、いわゆるＵＸＧＡに基づいたものとされる。また、固体撮像素子の画素サイズは、例えば３．０×３．０μｍとされ、固体撮像素子の撮像面積は、例えば４８７２×３６７２μｍとされる。
【０２３０】
また、このカメラ１０５に内蔵されるカラーフィルタ（図示せず）は、例えば「Ｂａｙｅｒ  Ｐａｔｔｅｒｎ」のＲＧＢに基づくものとされている。
【０２３１】
また、このカメラ１０５は、センサモジュール１００等を有するカメラモジュール（図示せず）を内部に備えた低コストカメラ１０５とされている。また、このカメラ１０５は、ハーフミラー１１０を内部に備える。
【０２３２】
不図示のＣＭＯＳイメージセンサ等の撮像素子、カラーフィルタ、センサモジュール１００等を有するカメラモジュールや、ハーフミラー等は、カメラ１０５を構成する略矩形箱状の筐体１１５いわゆるケース１１５内に装備される。
【０２３３】
また、このカメラ１０５は、例えばフィールドレンズ２３０を備える回動可能リング２１０や接写リング２５０を有する補助器具１２５いわゆるアダプタ１２５を備え、対象物／被写体（図示せず）の光の深度調整が可能なカメラ１０５として構成される。
【０２３４】
この撮像補助装置５は、例えばカメラ１０５が用いられて被写体とされる対象物の撮像が行われるときに、対象物の撮像を行わせやすくするカメラ１０５用の撮像補助装置５とされている。
【０２３５】
また、上記カメラ１０５に備えられる上記撮像補助装置５は、一個の発光素子１０Ｅと、一個のコリメータレンズ２０Ｅと、一個のハーフミラー１００とが、カメラ１０５のケース１１５の内側に位置する例えば１ビーム・レンズ内方式の撮像補助装置５とされている。
【０２３６】
上記カメラ１０５用の撮像補助装置５は、コヒーレント可視光を対象物に照射可能なガイドポインタＰ５を含む構成とされている。詳しく説明すると、上記カメラ１０５用の撮像補助装置５は、コヒーレント可視光により対象物の特定の位置を照射可能なガイドポインタＰ５を含む構成とされている。
【０２３７】
このようにカメラ１０５用の撮像補助装置５が構成されることにより、対象物への焦点合せ及び対象物の撮像は、比較的精度よく容易に行われる。例えばカメラ１０５に装備される撮像補助装置５は、コヒーレント可視光を対象物に照射可能とさせコヒーレント可視光により対象物の特定の位置を照射可能なガイドポインタＰ５を含む構成とされているので、ガイドポインタＰ５の発光素子１０Ｅから出射されるコヒーレント可視光を対象物に当てることにより、対象物は、ガイドポインタＰ５を含む撮像補助装置５により容易に捉えられる。
【０２３８】
撮像補助装置５の発光素子１０Ｅとして、例えばレーザ光を出射可能なＬＤが用いられて、撮像補助装置５は、レーザ光により特定の位置を照射可能なレーザポインタＰ５を含む構成とされる。レーザポインタＰ５を含む撮像補助装置５が構成されることにより、対
象物への焦点合せ及び対象物の撮像は、精度よく容易に行われる。例えばカメラ１０５に装備される撮像補助装置５は、レーザ光により特定の位置を照射可能なレーザポインタＰ５を含む構成とされているので、レーザポインタＰ５の発光素子１０Ｅから出射されるコヒーレント可視光を対象物に当てることにより、対象物は、レーザポインタＰ５を含む撮像補助装置５により容易に捉えられる。
【０２３９】
又は、撮像補助装置５の発光素子１０Ｅとして、例えばＬＥＤ光を出射可能なＬＥＤが用いられて、撮像補助装置５は、ＬＥＤ光により特定の位置を照射可能なＬＥＤポインタＰ５を含む構成とされる。ＬＥＤポインタＰ５を含む撮像補助装置５が構成されることにより、対象物への焦点合せ及び対象物の撮像は、精度よく容易に行われる。例えばカメラ１０５に装備される撮像補助装置５は、ＬＥＤ光により特定の位置を照射可能なＬＥＤポインタＰ５を含む構成とされているので、ＬＥＤポインタＰ５の発光素子１０Ｅから出射されるコヒーレント可視光を対象物に当てることにより、対象物は、ＬＥＤポインタＰ５を含む撮像補助装置５により容易に捉えられる。
【０２４０】
カメラ１０５用の撮像補助装置５の設計／仕様等により、撮像補助装置５の発光素子１０Ｅから出射されるコヒーレント可視光の色は、赤色、青色などの各種の色に設定可能とされる。
【０２４１】
カメラ１０５が用いられて対象物への焦点合せ及び対象物の撮像を行わせやすくするために、このカメラ１０５用の撮像補助装置５は、コヒーレント可視光を発する発光素子１０Ｅと、発光素子１０Ｅから出射されたコヒーレント可視光を適度に屈折等させて対象物に精度よく当てやすくするコリメータレンズ２０Ｅと、発光素子１０Ｅの角度を調整させることで発光素子１０Ｅから出射されるコヒーレント可視光の軸Ｌ１の角度を自在に調整可能なねじ部材などの調整部材（図示せず）とを備えて構成される。
【０２４２】
図１０に示すカメラ１０５用の撮像補助装置５が構成されることにより、発光素子１０Ｅから発せられるコヒーレント可視光が被写体とされる対象物に精度よく略スポット状に照射可能となる。例えば対象物に照射される可視光の対象物の深度調整いわゆる被写体深度調整などが容易に行われるカメラ１０５用の撮像補助装置５の提供が可能となる。
【０２４３】
図１０の如く、上記カメラ１０５は、上記撮像補助装置５を有するものとされている。
【０２４４】
これにより、被写体とされる対象物への焦点合せ及び対象物の撮像が行われやすくされたカメラ１０５の提供が可能となる。被写体とされる対象物への焦点合せ及び対象物の撮像が行われるときに、対象物への焦点合せ及び対象物の撮像を行わせやすくする撮像補助装置５を少なくとも有するカメラ１０５が構成されることにより、対象物への焦点合せ及び対象物の撮像が容易に行われやすくなる。
【０２４５】
撮像補助装置５、ガイドポインタＰ５が備えられたカメラ１０５を用いて被写体深度の調整が行われるときの設定方法について説明する。
【０２４６】
被写体とされる対象物へ撮像補助装置５を有するＣＭＯＳ／ＣＣＤカメラ１０５を向け、撮像補助装置５の発光素子１０Ｅから出射されコリメータレンズ２０Ｅにより略平行光とされたコヒーレント可視光を被写体とされる対象物に照射させ、そのときに、撮像補助装置５を手などで回動させてコヒーレント可視光の光軸角度調整を行うことで対象物に照射された可視光の深度調整を行い、これと共に、カメラ１０５に装備されたフィールドレンズ２３０を備える回動可能リング２１０等を手などで調整して、対象物へのカメラ１０５の焦点合せを行ったのちに、例えば撮像補助装置５の発光素子１０Ｅから出射されるコヒーレント可視光を消灯させ、カメラ１０５を用いて被写体とされる対象物の撮像を行う
。
【０２４７】
ＣＭＯＳ／ＣＣＤカメラ１０５を使用して対象物の像を得る場合、例えば、対象物がカメラ１０５の光軸Ｌ０、被写体深度の範囲に入るようにカメラ１０５からの出力映像を見ながらカメラ１０５の角度設定を行う。その設定を補助するのに、レーザ光／ＬＥＤ光等の光源を用いたガイドポインタＰ５を使用する。
【０２４８】
カメラ１０５を対象物に向けると共に、ガイドポインタＰ５から出射されるレーザ光／ＬＥＤ光などの光を対象物に当てる。そのときに、対象物がカメラ１０５の光軸Ｌ０、被写体深度範囲にあることをカメラモニタ（図示せず）等を介して目視にて直接確認する。このときに、レーザ光／ＬＥＤ光などの光を発する発光素子１０Ｅの光軸Ｌ１の仰角を手動で調整する。
【０２４９】
ガイドポインタＰ５の角度調整が手動で行われる構造とされているため、ガイドポインタＰ５を廉価で具備可能なカメラ１０５を提供することができる。
【０２５０】
上記撮像補助装置５や上記撮像補助装置５を有する上記カメラ１０５は、例えば、試験装置や、半田付け装置などの各種装置に装備されて使用されることが好ましい。
【０２５１】
また、上記カメラ１０５等の撮像装置１０５に代えて、例えば液晶プロジェクタ（１０５）等の映像装置（１０５）が用いられてもよい。そのときに、上記撮像補助装置５は映像補助装置５として用いられてもよい。詳しく説明すると、上記撮像補助装置５は、例えばカメラ１０５等の撮像装置１０５が用いられて被写体とされる対象物の撮像が行われるときに、対象物の撮像を行わせやすくする撮像補助装置５とされているが、例えば液晶プロジェクタ（１０５）等の映像装置（１０５）が用いられて不図示のスクリーン等の対象物に映像を映し出させるときに、対象物へ映像を映し出させやすくする映像補助装置５として用いられてもよい。
【０２５２】
スクリーン等の対象物へ映像補助装置５を有する液晶プロジェクタ（１０５）を向け、映像補助装置５の発光素子１０Ｅから出射されコリメータレンズ２０Ｅにより略平行光とされたコヒーレント可視光をスクリーン等の対象物に照射させ、そのときに、映像補助装置５の不図示のねじ部材等を手などで回動させてコヒーレント可視光の光軸角度調整を行うことで対象物に照射された可視光の深度調整を行い、これと共に、液晶プロジェクタ（１０５）に装備されたレンズ（２３０）を備える回動可能リング（２１０）等を手などで調整して、対象物への液晶プロジェクタ（１０５）の焦点合せを行ったのちに、例えば映像補助装置５の発光素子１０Ｅから出射されるコヒーレント可視光を消灯させ、液晶プロジェクタ（１０５）を用いてスクリーン等の対象物へ映像を映し出させる。
【実施例６】
【０２５３】
次に、本発明に係る撮像／映像補助装置およびそれを備える撮像／映像装置の第六の実施形態について、図１１を用いて詳細に説明する。
【０２５４】
図１１は、本発明に係る撮像／映像補助装置およびそれを備える撮像／映像装置の第六の実施形態を示す説明図である。
【０２５５】
第四の実施形態における撮像／映像補助装置４（図９）およびそれを備える撮像／映像装置１０４と、第六の実施形態における撮像／映像補助装置６（図１１）およびそれを備える撮像／映像装置１０６との差異部について説明すると、第四の実施形態における撮像／映像補助装置４（図９）およびそれを備える撮像／映像装置１０４においては、撮像／映像装置１０４に備えられる撮像補助装置４は、複数の発光素子１０Ｄａ，１０Ｄｂおよ
び複数の光学部材２０Ｄａ，２０Ｄｂが撮像／映像装置１０４の筐体１１４の外側に位置する例えば２ビーム・レンズ外方式の撮像補助装置４とされているのに対し、第六の実施形態における撮像／映像補助装置６（図１１）およびそれを備える撮像／映像装置１０６においては、撮像／映像装置１０６に備えられる撮像補助装置６は、複数の発光素子２０Ｆａ，２０Ｆｂ等が撮像／映像装置１０６の筐体１１６の内側に位置する例えば２ビーム・レンズ内方式の撮像補助装置６とされている。また、第六の実施形態における撮像／映像装置１０６においては、フィールドレンズ２３０が複数の発光素子２０Ｆａ，２０Ｆｂに対応する光学部材２３０として構成されている。
【０２５６】
他の部分においては、図９に示す実施例４の撮像／映像補助装置４およびそれを備える撮像／映像装置１０４と、図１１に示す実施例６の撮像／映像補助装置６およびそれを備える撮像／映像装置１０６とは、全て同一とされている。実施例６において、実施例４にて説明したものと同一のものについては、同一の符号を付し、その詳細な説明を省略した。また、実施例１および実施例２で説明したものと略同じものについても、その詳細な説明を省略した。
【０２５７】
撮像補助装置６を構成する一対の発光素子１０Ｆａ，１０Ｆｂとして、例えば上記波長のレーザ光を出射可能なＬＤが用いられる。また、撮像補助装置６を構成する一対の発光素子１０Ｆａ，１０Ｆｂとして、例えば上記波長のＬＥＤ光を出射可能なＬＥＤが用いられる。一対の発光素子１０Ｆａ，１０Ｆｂは、例えばレーザ光および／またはＬＥＤ光を出射可能な一対の光源として構成されている。例えば発光素子１０Ｆａ，１０Ｆｂは、コヒーレント可視光を出射可能な光源として構成されている。
【０２５８】
また、撮像補助装置６を構成する光学部材２３０として、例えば無色透明もしくは略無色透明のガラスもしくは合成樹脂材料製のフィールドレンズ２３０が用いられる。例えば光学部材２３０として、一対の発光素子１０Ｆａ，１０Ｆｂから出射された可視拡大光を略可視平行光とさせる略無色透明の合成樹脂材料製レンズ２３０が用いられてもよい。
【０２５９】
また、撮像装置１０６として、例えば静止画および／または動画などの映像および／または音声を記録可能なカメラ１０６が用いられる。このカメラ１０６は、例えばＵＳＢに対応したビデオカメラ１０６とされている。
【０２６０】
また、このカメラ１０６に内蔵される固体撮像素子（図示せず）は、例えば略二百万画素などの数百万〜数千万画素のＣＭＯＳイメージセンサを有するものとされている。カメラ１０６の設計／仕様等により、ＣＭＯＳに代えて例えばＣＣＤ等が用いられてもよい。不図示の固体撮像素子の総画素数は、例えば１６２４×１２２４ピクセルとされる。また、固体撮像素子の有効画素数は、例えば１６００（水平）×１２００（垂直）ピクセルとされ、いわゆるＵＸＧＡに基づいたものとされる。また、固体撮像素子の画素サイズは、例えば３．０×３．０μｍとされ、固体撮像素子の撮像面積は、例えば４８７２×３６７２μｍとされる。
【０２６１】
また、このカメラ１０６に内蔵されるカラーフィルタ（図示せず）は、例えば「Ｂａｙｅｒ  Ｐａｔｔｅｒｎ」のＲＧＢに基づくものとされている。
【０２６２】
また、このカメラ１０６は、センサモジュール１００等を有するカメラモジュール（図示せず）を内部に備えた低コストカメラ１０６とされている。また、このカメラ１０６は、必要に応じてハーフミラー（図示せず）を内部に備える。
【０２６３】
不図示のＣＭＯＳイメージセンサ等の撮像素子、カラーフィルタ、センサモジュール１００等を有するカメラモジュールや、ハーフミラー等は、カメラ１０６を構成する略矩形
箱状の筐体１１６いわゆるケース１１６内に装備される。
【０２６４】
また、このカメラ１０６は、例えばフィールドレンズ２３０を備える回動可能リング２１０や接写リング２５０を有する補助器具１２５いわゆるアダプタ１２５を備え、対象物／被写体（図示せず）の光の深度調整が可能なカメラ１０６として構成される。
【０２６５】
この撮像補助装置６は、例えばカメラ１０６が用いられて被写体とされる対象物の撮像が行われるときに、対象物の撮像を行わせやすくするカメラ１０６用の撮像補助装置６とされている。
【０２６６】
また、上記カメラ１０６に備えられる上記撮像補助装置６は、一対の発光素子１０Ｆａ，１０Ｆｂがカメラ１０６のケース１１６の内側に位置すると共に一個のフィールドレンズ２３０がカメラ１０６の補助器具１２５の内側に位置する例えば２ビーム・レンズ内方式の撮像補助装置６とされている。
【０２６７】
カメラ１０６が用いられて対象物への焦点合せ及び対象物の撮像を行わせやすくするために、このカメラ１０６用の撮像補助装置６は、コヒーレント可視光を発する一対の発光素子１０Ｆａ，１０Ｆｂと、一対の発光素子１０Ｆａ，１０Ｆｂから出射されたコヒーレント可視光を例えば適度に屈折等させて対象物に精度よく当てやすくする一個のフィールドレンズ２３０と、一対の発光素子１０Ｆａ，１０Ｆｂの角度を調整させることで一対の発光素子１０Ｆａ，１０Ｆｂから出射されるコヒーレント可視光の各軸Ｌ１ａ，Ｌ１ｂの角度を自在に調整可能な一対のねじ部材などの調整部材（図示せず）とを備えて構成される。
【０２６８】
図１１に示すカメラ１０６用の撮像補助装置６が構成されることにより、一対の発光素子１０Ｆａ，１０Ｆｂから発せられるコヒーレント可視光が被写体とされる対象物に各々精度よく略スポット状に照射可能となる。例えば対象物に照射される可視光の対象物の深度調整いわゆる被写体深度調整などが容易に行われるカメラ１０６用の撮像補助装置６の提供が可能となる。
【０２６９】
上記カメラ１０６用の撮像補助装置６は、コヒーレント可視光を対象物に照射可能な一対のガイドポインタＰ６ａ，Ｐ６ｂを含む構成とされている。詳しく説明すると、上記カメラ１０６用の撮像補助装置６は、コヒーレント可視光により対象物の特定の位置を照射可能な一対のガイドポインタＰ６ａ，Ｐ６ｂを含む構成とされている。
【０２７０】
このようにカメラ１０６用の撮像補助装置６が構成されることにより、対象物への焦点合せ及び対象物の撮像は、比較的精度よく容易に行われる。例えばカメラ１０６に装備される撮像補助装置６は、コヒーレント可視光を対象物に照射可能とさせコヒーレント可視光により対象物の特定の位置を照射可能な一対のガイドポインタＰ６ａ，Ｐ６ｂを含む構成とされているので、各ガイドポインタＰ６ａ，Ｐ６ｂの発光素子１０Ｆａ，１０Ｆｂから出射されるコヒーレント可視光を対象物に当てることにより、対象物は、一対のガイドポインタＰ６ａ，Ｐ６ｂを含む撮像補助装置６により容易に捉えられる。
【０２７１】
撮像補助装置６を構成する一対の発光素子１０Ｆａ，１０Ｆｂとして、例えばレーザ光を出射可能なＬＤが用いられて、撮像補助装置６は、レーザ光により特定の位置を照射可能な一対のレーザポインタＰ６ａ，Ｐ６ｂを含む構成とされる。一対のレーザポインタＰ６ａ，Ｐ６ｂを含む撮像補助装置６が構成されることにより、対象物への焦点合せ及び対象物の撮像は、精度よく容易に行われる。例えばカメラ１０６に装備される撮像補助装置６は、レーザ光により特定の位置を照射可能な一対のレーザポインタＰ６ａ，Ｐ６ｂを含む構成とされているので、各レーザポインタＰ６ａ，Ｐ６ｂの発光素子１０Ｆａ，１０Ｆ
ｂから出射されるコヒーレント可視光を対象物に当てることにより、対象物は、一対のレーザポインタＰ６ａ，Ｐ６ｂを含む撮像補助装置６により容易に捉えられる。
【０２７２】
又は、撮像補助装置６を構成する一対の発光素子１０Ｆａ，１０Ｆｂとして、例えばＬＥＤ光を出射可能なＬＥＤが用いられて、撮像補助装置６は、ＬＥＤ光により特定の位置を照射可能な一対のＬＥＤポインタＰ６ａ，Ｐ６ｂを含む構成とされる。一対のＬＥＤポインタＰ６ａ，Ｐ６ｂを含む撮像補助装置６が構成されることにより、対象物への焦点合せ及び対象物の撮像は、精度よく容易に行われる。例えばカメラ１０６に装備される撮像補助装置６は、ＬＥＤ光により特定の位置を照射可能な一対のＬＥＤポインタＰ６ａ，Ｐ６ｂを含む構成とされているので、各ＬＥＤポインタＰ６ａ，Ｐ６ｂの発光素子１０Ｆａ，１０Ｆｂから出射されるコヒーレント可視光を対象物に当てることにより、対象物は、一対のＬＥＤポインタＰ６ａ，Ｐ６ｂを含む撮像補助装置６により容易に捉えられる。
【０２７３】
カメラ１０６用の撮像補助装置６の設計／仕様等により、撮像補助装置６を構成する一対の発光素子１０Ｆａ，１０Ｆｂから出射されるコヒーレント可視光の色は、赤色、青色などの各種の色に設定可能とされる。
【０２７４】
図１１の如く、上記カメラ１０６は、上記撮像補助装置６を有するものとされている。
【０２７５】
これにより、被写体とされる対象物への焦点合せ及び対象物の撮像が行われやすくされたカメラ１０６の提供が可能となる。被写体とされる対象物への焦点合せ及び対象物の撮像が行われるときに、対象物への焦点合せ及び対象物の撮像を行わせやすくする撮像補助装置６を少なくとも有するカメラ１０６が構成されることにより、対象物への焦点合せ及び対象物の撮像が容易に行われやすくなる。
【０２７６】
撮像補助装置６、一対のガイドポインタＰ６ａ，Ｐ６ｂが備えられたカメラ１０６を用いて被写体深度の調整が行われるときの設定方法について説明する。
【０２７７】
被写体とされる対象物へ撮像補助装置６を有するＣＭＯＳ／ＣＣＤカメラ１０６を向け、撮像補助装置６を構成する一対の発光素子１０Ｆａ，１０Ｆｂから出射され一個のフィールドレンズ２３０を透過したコヒーレント可視光を被写体とされる対象物に照射させ、そのときに、撮像補助装置６を手などで回動させてコヒーレント可視光の光軸角度調整を行うことで対象物に照射された可視光の深度調整を行い、これと共に、カメラ１０６に装備されたフィールドレンズ２３０を備える回動可能リング２１０等を手などで調整して、対象物へのカメラ１０６の焦点合せを行ったのちに、例えば撮像補助装置６を構成する一対の発光素子１０Ｆａ，１０Ｆｂから出射されるコヒーレント可視光を消灯させ、カメラ１０６を用いて被写体とされる対象物の撮像を行う。
【０２７８】
ＣＭＯＳ／ＣＣＤカメラ１０６を使用して対象物の像を得る場合、例えば、対象物がカメラ１０６の光軸Ｌ０、被写体深度の範囲に入るようにカメラ１０６からの出力映像を見ながらカメラ１０６の角度設定を行う。その設定を補助するのに、レーザ光／ＬＥＤ光等の光源を用いた一対のガイドポインタＰ６ａ，Ｐ６ｂを使用する。
【０２７９】
カメラ１０６を対象物に向けると共に、一対のガイドポインタＰ６ａ，Ｐ６ｂから出射されるレーザ光／ＬＥＤ光などの光を対象物に当てる。そのときに、対象物がカメラ１０６の光軸Ｌ０、被写体深度範囲にあることをカメラモニタ（図示せず）等を介して目視にて直接確認する。このときに、レーザ光／ＬＥＤ光などの光を発する一対の発光素子１０Ｆａ，１０Ｆｂの光軸Ｌ１ａ，Ｌ１ｂの仰角を手動で調整する。
【０２８０】
一対のガイドポインタＰ６ａ，Ｐ６ｂの角度調整が手動で行われる構造とされているた
め、ガイドポインタＰ６ａ，Ｐ６ｂを廉価で具備可能なカメラ１０６を提供することができる。
【０２８１】
上記撮像補助装置６や上記撮像補助装置６を有する上記カメラ１０６は、例えば、試験装置や、半田付け装置などの各種装置に装備されて使用されることが好ましい。
【０２８２】
また、上記カメラ１０６等の撮像装置１０６に代えて、例えば液晶プロジェクタ（１０６）等の映像装置（１０６）が用いられてもよい。そのときに、上記撮像補助装置６は映像補助装置６として用いられてもよい。詳しく説明すると、上記撮像補助装置６は、例えばカメラ１０６等の撮像装置１０６が用いられて被写体とされる対象物の撮像が行われるときに、対象物の撮像を行わせやすくする撮像補助装置６とされているが、例えば液晶プロジェクタ（１０６）等の映像装置（１０６）が用いられて不図示のスクリーン等の対象物に映像を映し出させるときに、対象物へ映像を映し出させやすくする映像補助装置６として用いられてもよい。
【０２８３】
スクリーン等の対象物へ映像補助装置６を有する液晶プロジェクタ（１０６）を向け、映像補助装置６の発光素子１０Ｆａ，１０Ｆｂから出射され一個のフィールドレンズ２３０を透過したコヒーレント可視光をスクリーン等の対象物に照射させ、そのときに、映像補助装置６の不図示のねじ部材等を手などで回動させてコヒーレント可視光の光軸角度調整を行うことで対象物に照射された可視光の深度調整を行い、これと共に、液晶プロジェクタ（１０６）に装備されたレンズ（２３０）を備える回動可能リング（２１０）等を手などで調整して、対象物への液晶プロジェクタ（１０６）の焦点合せを行ったのちに、例えば映像補助装置６の発光素子１０Ｆａ，１０Ｆｂから出射されるコヒーレント可視光を消灯させ、液晶プロジェクタ（１０６）を用いてスクリーン等の対象物へ映像を映し出させる。
【実施例７】
【０２８４】
次に、本発明に係る撮像／映像補助装置およびそれを備える撮像／映像装置の第七の実施形態について、図１２を用いて詳細に説明する。
【０２８５】
図１２は、本発明に係る撮像／映像補助装置およびそれを備える撮像／映像装置の第七の実施形態を示す説明図であり、（ａ）は、撮像／映像補助装置およびそれを備える撮像／映像装置を示す断面図、（ｂ）は、撮像／映像補助装置およびそれを備える撮像／映像装置を示す正面図である。
【０２８６】
第四の実施形態における撮像／映像補助装置４（図９）およびそれを備える撮像／映像装置１０４と、第七の実施形態における撮像／映像補助装置７（図１２）およびそれを備える撮像／映像装置１０７との差異部について説明すると、第四の実施形態における撮像／映像補助装置４（図９）およびそれを備える撮像／映像装置１０４においては、一対の第一光学部材２０Ｄａ，２０Ｄｂを透過した略平行光を例えば略線状の光とさせてラインビーム化させる一対の第二光学部材が装備されておらず省略されているのに対し、第七の実施形態における撮像／映像補助装置７（図１２）およびそれを備える撮像／映像装置１０７においては、一対の第一光学部材２０Ｇａ，２０Ｇｂを透過した略平行光を例えば略線状の光とさせてラインビーム化させる一対の第二光学部材２０Ｇｃ，２０Ｇｄが装備されている。
【０２８７】
また、第四の実施形態における撮像／映像補助装置４（図９）およびそれを備える撮像／映像装置１０４の光学レイアウトと、第七の実施形態における撮像／映像補助装置７（図１２）およびそれを備える撮像／映像装置１０７の光学レイアウトとが一部異なる。
【０２８８】
他の部分においては、図９に示す実施例４の撮像／映像補助装置４およびそれを備える撮像／映像装置１０４と、図１２（ａ）（ｂ）に示す実施例７の撮像／映像補助装置７およびそれを備える撮像／映像装置１０７とは、略同じ構成とされている。実施例７において、実施例４にて説明したものと同一のものについては、同一の符号を付し、その詳細な説明を省略した。また、実施例１および実施例２で説明したものと略同じものについても、その詳細な説明を省略した。
【０２８９】
撮像補助装置７を構成する一対の発光素子１０Ｇａ，１０Ｇｂとして、例えば上記波長のレーザ光を出射可能なＬＤが用いられる。また、撮像補助装置７を構成する一対の発光素子１０Ｇａ，１０Ｇｂとして、例えば上記波長のＬＥＤ光を出射可能なＬＥＤが用いられる。一対の発光素子１０Ｇａ，１０Ｇｂは、例えばレーザ光および／またはＬＥＤ光を出射可能な一対の光源として構成されている。例えば発光素子１０Ｇａ，１０Ｇｂは、コヒーレント可視光を出射可能な光源として構成されている。
【０２９０】
また、撮像補助装置７を構成する一対の第一光学部材２０Ｇａ，２０Ｇｂとして、例えば無色透明もしくは略無色透明のガラスもしくは合成樹脂材料製の一対のレンズ２０Ｇａ，２０Ｇｂが用いられる。具体的に説明すると、一対の第一光学部材２０Ｇａ，２０Ｇｂとして、一対の発光素子１０Ｇａ，１０Ｇｂから出射された可視拡大光を略可視平行光とさせる略無色透明の一対の合成樹脂材料製コリメータレンズ２０Ｇａ，２０Ｇｂが用いられる。コリメータレンズ２０Ｇａ，２０Ｇｂは、例えば発光素子１０Ｇａ，１０Ｇｂからレンズ２０Ｇａ，２０Ｇｂに入射された光を平行光もしくは略平行光とさせて出射させる。
【０２９１】
また、撮像補助装置７を構成する一対の第二光学部材２０Ｇｃ，２０Ｇｄとして、例えば無色透明もしくは略無色透明のガラスもしくは合成樹脂材料製の一対のレンズ２０Ｇｃ，２０Ｇｄが用いられる。具体的に説明すると、一対の第二光学部材２０Ｇｃ，２０Ｇｄとして、一対のコリメータレンズ２０Ｇａ，２０Ｇｂを透過した略可視平行光を例えば略線状のコヒーレント可視光とさせてラインビーム化させる略無色透明の一対の合成樹脂材料製ロッドレンズまたはシリンドリカルレンズ２０Ｇｃ，２０Ｇｄが用いられる。
【０２９２】
また、撮像装置１０７として、例えば静止画および／または動画などの映像および／または音声を記録可能なカメラ１０７が用いられる。このカメラ１０７は、例えばＵＳＢに対応したビデオカメラ１０７とされている。
【０２９３】
また、このカメラ１０７に内蔵される固体撮像素子（図示せず）は、例えば略二百万画素などの数百万〜数千万画素のＣＭＯＳイメージセンサを有するものとされている。カメラ１０７の設計／仕様等により、ＣＭＯＳに代えて例えばＣＣＤ等が用いられてもよい。不図示の固体撮像素子の総画素数は、例えば１６２４×１２２４ピクセルとされる。また、固体撮像素子の有効画素数は、例えば１６００（水平）×１２００（垂直）ピクセルとされ、いわゆるＵＸＧＡに基づいたものとされる。また、固体撮像素子の画素サイズは、例えば３．０×３．０μｍとされ、固体撮像素子の撮像面積は、例えば４８７２×３６７２μｍとされる。
【０２９４】
また、このカメラ１０７に内蔵されるカラーフィルタ（図示せず）は、例えば「Ｂａｙｅｒ  Ｐａｔｔｅｒｎ」のＲＧＢに基づくものとされている。
【０２９５】
また、このカメラ１０７は、センサモジュール１００等を有するカメラモジュール（図示せず）を内部に備えた低コストカメラ１０７とされている。また、このカメラ１０７は、必要に応じてハーフミラー（図示せず）を内部に備える。
【０２９６】
不図示のＣＭＯＳイメージセンサ等の撮像素子、カラーフィルタ、センサモジュール１００等を有するカメラモジュールや、ハーフミラー等は、カメラ１０７を構成する略矩形箱状の筐体１１７いわゆるケース１１７内に装備される。
【０２９７】
また、このカメラ１０７は、例えばフィールドレンズ２３０を備える回動可能リング２１０や接写リング２５０を有する補助器具１２５いわゆるアダプタ１２５を備え、対象物／被写体（図示せず）の光の深度調整が可能なカメラ１０７として構成される。
【０２９８】
この撮像補助装置７は、例えばカメラ１０７が用いられて被写体とされる対象物の撮像が行われるときに、対象物の撮像を行わせやすくするカメラ１０７用の撮像補助装置７とされている。
【０２９９】
また、上記カメラ１０７に備えられる上記撮像補助装置７は、一対の発光素子１０Ｇａ，１０Ｇｂと、一対のコリメータレンズ２０Ｇａ，２０Ｇｂと、一対のロッドレンズまたはシリンドリカルレンズ２０Ｇｃ，２０Ｇｄとが、カメラ１０７のケース１１７の外側に位置する例えば２ビーム・レンズ外方式の撮像補助装置７とされている。
【０３００】
また、上記カメラ１０７に備えられる上記撮像補助装置７は、一対の発光素子１０Ｇａ，１０Ｇｂと、一対のコリメータレンズ２０Ｇａ，２０Ｇｂと、一対のロッドレンズまたはシリンドリカルレンズ２０Ｇｃ，２０Ｇｄとを備えて構成され、一対のロッドレンズまたはシリンドリカルレンズ２０Ｇｃ，２０Ｇｄにより対象物に照射形成される一対のラインビームＬＡ，ＬＢが、カメラ１０７のモニタの略矩形画面内において縦横方向に沿って直交して表示される例えば縦横直交ラインビーム方式の撮像補助装置７とされている。
【０３０１】
カメラ１０７が用いられて対象物への焦点合せ及び対象物の撮像を行わせやすくするために、このカメラ１０７用の撮像補助装置７は、コヒーレント可視光を発する一対の発光素子１０Ｇａ，１０Ｇｂと、一対の発光素子１０Ｇａ，１０Ｇｂから出射されたコヒーレント可視光を適度に屈折等させて対象物に精度よく当てやすくする一対のコリメータレンズ２０Ｇａ，２０Ｇｂと、一対のコリメータレンズ２０Ｇａ，２０Ｇｂを透過したコヒーレント可視平行光を例えば略線状のコヒーレント可視光とさせてラインビーム化されたコヒーレント可視光を対象物に精度よく当てやすくする一対のロッドレンズまたはシリンドリカルレンズ２０Ｇｃ，２０Ｇｄと、例えば一対の発光素子１０Ｇａ，１０Ｇｂの角度等を調整させることで一対の発光素子１０Ｇａ，１０Ｇｂから出射されるコヒーレント可視光の各軸Ｌ１ａ，Ｌ１ｂの角度を自在に調整可能な一対のねじ部材などの調整部材（図示せず）とを備えて構成される。
【０３０２】
図１２に示すカメラ１０７用の撮像補助装置７が構成されることにより、一対の発光素子１０Ｇａ，１０Ｇｂから発せられるコヒーレント可視光が被写体とされる対象物に各々精度よく略線状に照射可能となる。例えば対象物に照射される可視光の対象物の深度調整いわゆる被写体深度調整などが容易に行われるカメラ１０７用の撮像補助装置７の提供が可能となる。
【０３０３】
上記カメラ１０７用の撮像補助装置７は、コヒーレント可視光を対象物に照射可能な一対のガイドポインタＰ７ａ，Ｐ７ｂを含む構成とされている。詳しく説明すると、上記カメラ１０７用の撮像補助装置７は、コヒーレント可視光により対象物の特定の位置を照射可能な一対のガイドポインタＰ７ａ，Ｐ７ｂを含む構成とされている。
【０３０４】
このようにカメラ１０７用の撮像補助装置７が構成されることにより、対象物への焦点合せ及び対象物の撮像は、比較的精度よく容易に行われる。例えばカメラ１０７に装備される撮像補助装置７は、コヒーレント可視光を対象物に照射可能とさせコヒーレント可視
光により対象物の特定の位置を照射可能な一対のガイドポインタＰ７ａ，Ｐ７ｂを含む構成とされているので、各ガイドポインタＰ７ａ，Ｐ７ｂの発光素子１０Ｇａ，１０Ｇｂから出射されるコヒーレント可視光を対象物に当てることにより、対象物は、一対のガイドポインタＰ７ａ，Ｐ７ｂを含む撮像補助装置７により容易に捉えられる。
【０３０５】
撮像補助装置７を構成する一対の発光素子１０Ｇａ，１０Ｇｂとして、例えばレーザ光を出射可能なＬＤが用いられて、撮像補助装置７は、レーザ光により特定の位置を照射可能な一対のレーザポインタＰ７ａ，Ｐ７ｂを含む構成とされる。一対のレーザポインタＰ７ａ，Ｐ７ｂを含む撮像補助装置７が構成されることにより、対象物への焦点合せ及び対象物の撮像は、精度よく容易に行われる。例えばカメラ１０７に装備される撮像補助装置７は、レーザ光により特定の位置を照射可能な一対のレーザポインタＰ７ａ，Ｐ７ｂを含む構成とされているので、各レーザポインタＰ７ａ，Ｐ７ｂの発光素子１０Ｇａ，１０Ｇｂから出射されるコヒーレント可視光を対象物に当てることにより、対象物は、一対のレーザポインタＰ７ａ，Ｐ７ｂを含む撮像補助装置７により容易に捉えられる。
【０３０６】
又は、撮像補助装置７を構成する一対の発光素子１０Ｇａ，１０Ｇｂとして、例えばＬＥＤ光を出射可能なＬＥＤが用いられて、撮像補助装置７は、ＬＥＤ光により特定の位置を照射可能な一対のＬＥＤポインタＰ７ａ，Ｐ７ｂを含む構成とされる。一対のＬＥＤポインタＰ７ａ，Ｐ７ｂを含む撮像補助装置７が構成されることにより、対象物への焦点合せ及び対象物の撮像は、精度よく容易に行われる。例えばカメラ１０７に装備される撮像補助装置７は、ＬＥＤ光により特定の位置を照射可能な一対のＬＥＤポインタＰ７ａ，Ｐ７ｂを含む構成とされているので、各ＬＥＤポインタＰ７ａ，Ｐ７ｂの発光素子１０Ｇａ，１０Ｇｂから出射されるコヒーレント可視光を対象物に当てることにより、対象物は、一対のＬＥＤポインタＰ７ａ，Ｐ７ｂを含む撮像補助装置７により容易に捉えられる。
【０３０７】
カメラ１０７用の撮像補助装置７の設計／仕様等により、撮像補助装置７を構成する一対の発光素子１０Ｇａ，１０Ｇｂから出射されるコヒーレント可視光の色は、赤色、青色などの各種の色に設定可能とされる。
【０３０８】
図１２（ａ）（ｂ）の如く、上記カメラ１０７は、上記撮像補助装置７を有するものとされている。
【０３０９】
これにより、被写体とされる対象物への焦点合せ及び対象物の撮像が行われやすくされたカメラ１０７の提供が可能となる。被写体とされる対象物への焦点合せ及び対象物の撮像が行われるときに、対象物への焦点合せ及び対象物の撮像を行わせやすくする撮像補助装置７を少なくとも有するカメラ１０７が構成されることにより、対象物への焦点合せ及び対象物の撮像が容易に行われやすくなる。
【０３１０】
撮像補助装置７、一対のガイドポインタＰ７ａ，Ｐ７ｂが備えられたカメラ１０７を用いて被写体深度の調整が行われるときの設定方法について説明する。
【０３１１】
被写体とされる対象物へ撮像補助装置７を有するＣＭＯＳ／ＣＣＤカメラ１０７を向け撮像補助装置７を構成する一対の発光素子１０Ｇａ，１０Ｇｂから出射され、一対のコリメータレンズ２０Ｇａ，２０Ｇｂにより略平行光とされると共に一対のロッドレンズまたはシリンドリカルレンズ２０Ｇｃ，２０Ｇｄによりラインビーム化されたコヒーレント可視光を被写体とされる対象物に照射させ、そのときに、撮像補助装置７を手などで回動させてコヒーレント可視光の光軸角度調整を行うことで対象物に照射された可視光の深度調整を行い、これと共に、カメラ１０７に装備されたフィールドレンズ２３０を備える回動可能リング２１０等を手などで調整して、対象物へのカメラ１０７の焦点合せを行ったのちに、例えば撮像補助装置７を構成する一対の発光素子１０Ｇａ，１０Ｇｂから出射され
るコヒーレント可視光を消灯させ、カメラ１０７を用いて被写体とされる対象物の撮像を行う。
【０３１２】
ＣＭＯＳ／ＣＣＤカメラ１０７を使用して対象物の像を得る場合、例えば、対象物がカメラ１０７の光軸Ｌ０、被写体深度の範囲に入るようにカメラ１０７からの出力映像を見ながらカメラ１０７の角度設定を行う。その設定を補助するのに、レーザ光／ＬＥＤ光等の光源を用いた一対のガイドポインタＰ７ａ，Ｐ７ｂを使用する。
【０３１３】
カメラ１０７を対象物に向けると共に、一対のガイドポインタＰ７ａ，Ｐ７ｂから出射されるレーザ光／ＬＥＤ光などの光を対象物に当てる。そのときに、対象物がカメラ１０７の光軸Ｌ０、被写体深度範囲にあることをカメラモニタ（図示せず）等を介して目視にて直接確認する。このときに、レーザ光／ＬＥＤ光などの光を発する一対の発光素子１０Ｇａ，１０Ｇｂの光軸Ｌ１ａ，Ｌ１ｂの仰角を手動で調整する。
【０３１４】
一対のガイドポインタＰ７ａ，Ｐ７ｂの角度調整が手動で行われる構造とされているため、ガイドポインタＰ７ａ，Ｐ７ｂを廉価で具備可能なカメラ１０７を提供することができる。
【０３１５】
上記撮像補助装置７や上記撮像補助装置７を有する上記カメラ１０７は、例えば、試験装置や、半田付け装置などの各種装置に装備されて使用されることが好ましい。
【０３１６】
また、上記カメラ１０７等の撮像装置１０７に代えて、例えば液晶プロジェクタ（１０７）等の映像装置（１０７）が用いられてもよい。そのときに、上記撮像補助装置７は映像補助装置７として用いられてもよい。詳しく説明すると、上記撮像補助装置７は、例えばカメラ１０７等の撮像装置１０７が用いられて被写体とされる対象物の撮像が行われるときに、対象物の撮像を行わせやすくする撮像補助装置７とされているが、例えば液晶プロジェクタ（１０７）等の映像装置（１０７）が用いられて不図示のスクリーン等の対象物に映像を映し出させるときに、対象物へ映像を映し出させやすくする映像補助装置７として用いられてもよい。
【０３１７】
スクリーン等の対象物へ映像補助装置７を有する液晶プロジェクタ（１０７）を向け、映像補助装置７の発光素子１０Ｇａ，１０Ｇｂから出射されコリメータレンズ２０Ｇａ，２０Ｇｂにより略平行光とされると共に一対のロッドレンズまたはシリンドリカルレンズ２０Ｇｃ，２０Ｇｄによりラインビーム化されたコヒーレント可視光をスクリーン等の対象物に照射させ、そのときに、映像補助装置７の不図示のねじ部材等を手などで回動させてコヒーレント可視光の光軸角度調整を行うことで対象物に照射された可視光の深度調整を行い、これと共に、液晶プロジェクタ（１０７）に装備されたレンズ（２３０）を備える回動可能リング（２１０）等を手などで調整して、対象物への液晶プロジェクタ（１０７）の焦点合せを行ったのちに、例えば映像補助装置７の発光素子１０Ｇａ，１０Ｇｂから出射されるコヒーレント可視光を消灯させ、液晶プロジェクタ（１０７）を用いてスクリーン等の対象物へ映像を映し出させる。
【実施例８】
【０３１８】
次に、本発明に係る撮像／映像補助装置およびそれを備える撮像／映像装置の第八の実施形態について、図１３を用いて詳細に説明する。
【０３１９】
図１３は、本発明に係る撮像／映像補助装置およびそれを備える撮像／映像装置の第八の実施形態を示す説明図であり、（ａ）は、撮像／映像補助装置およびそれを備える撮像／映像装置を示す断面図、（ｂ）は、撮像／映像補助装置およびそれを備える撮像／映像装置を示す正面図である。
【０３２０】
第七の実施形態における撮像／映像補助装置７（図１２）およびそれを備える撮像／映像装置１０７と、第八の実施形態における撮像／映像補助装置８（図１３）およびそれを備える撮像／映像装置１０８との差異部について説明すると、第七の実施形態における撮像／映像補助装置７（図１２）およびそれを備える撮像／映像装置１０７においては、一対の光学部材２０Ｇｃ，２０Ｇｄにより対象物に照射形成される一対の略線状光線ＬＡ，ＬＢが、撮像装置１０７の表示部の略矩形画面（図示せず）内において縦横方向に沿って直交して表示される例えば縦横直交ラインビーム方式の撮像補助装置７とされているのに対し、第八の実施形態における撮像／映像補助装置８（図１３）およびそれを備える撮像／映像装置１０８においては、一対の光学部材２０Ｈｃ，２０Ｈｄにより対象物に照射形成される一対の略線状光線ＬＣ，ＬＤが、撮像装置１０８の表示部の略矩形画面（図示せず）内において斜めに直交して表示される例えば対角線直交ラインビーム方式の撮像補助装置８とされている。
【０３２１】
また、第七の実施形態における撮像／映像補助装置７（図１２）およびそれを備える撮像／映像装置１０７の光学レイアウトと、第八の実施形態における撮像／映像補助装置８（図１３）およびそれを備える撮像／映像装置１０８の光学レイアウトとが一部異なる。
【０３２２】
他の部分においては、図１２（ａ）（ｂ）に示す実施例７の撮像／映像補助装置７およびそれを備える撮像／映像装置１０７と、図１３（ａ）（ｂ）に示す実施例８の撮像／映像補助装置８およびそれを備える撮像／映像装置１０８とは、略同じ構成とされている。実施例８において、実施例７にて説明したものと同一のものについては、同一の符号を付し、その詳細な説明を省略した。また、実施例１および実施例２で説明したものと略同じものについても、その詳細な説明を省略した。
【０３２３】
撮像補助装置８を構成する一対の発光素子１０Ｈａ，１０Ｈｂとして、例えば上記波長のレーザ光を出射可能なＬＤが用いられる。また、撮像補助装置８を構成する一対の発光素子１０Ｈａ，１０Ｈｂとして、例えば上記波長のＬＥＤ光を出射可能なＬＥＤが用いられる。一対の発光素子１０Ｈａ，１０Ｈｂは、例えばレーザ光および／またはＬＥＤ光を出射可能な一対の光源として構成されている。例えば発光素子１０Ｈａ，１０Ｈｂは、コヒーレント可視光を出射可能な光源として構成されている。
【０３２４】
また、撮像補助装置８を構成する一対の第一光学部材２０Ｈａ，２０Ｈｂとして、例えば無色透明もしくは略無色透明のガラスもしくは合成樹脂材料製の一対のレンズ２０Ｈａ，２０Ｈｂが用いられる。具体的に説明すると、一対の第一光学部材２０Ｈａ，２０Ｈｂとして、一対の発光素子１０Ｈａ，１０Ｈｂから出射された可視拡大光を略可視平行光とさせる略無色透明の一対の合成樹脂材料製コリメータレンズ２０Ｈａ，２０Ｈｂが用いられる。コリメータレンズ２０Ｈａ，２０Ｈｂは、例えば発光素子１０Ｈａ，１０Ｈｂからレンズ２０Ｈａ，２０Ｈｂに入射された光を平行光もしくは略平行光とさせて出射させる。
【０３２５】
また、撮像補助装置８を構成する一対の第二光学部材２０Ｈｃ，２０Ｈｄとして、例えば無色透明もしくは略無色透明のガラスもしくは合成樹脂材料製の一対のレンズ２０Ｈｃ，２０Ｈｄが用いられる。具体的に説明すると、一対の第二光学部材２０Ｈｃ，２０Ｈｄとして、一対のコリメータレンズ２０Ｈａ，２０Ｈｂを透過した略可視平行光を例えば略線状のコヒーレント可視光とさせてラインビーム化させる略無色透明の一対の合成樹脂材料製ロッドレンズまたはシリンドリカルレンズ２０Ｈｃ，２０Ｈｄが用いられる。
【０３２６】
また、撮像装置１０８として、例えば静止画および／または動画などの映像および／または音声を記録可能なカメラ１０８が用いられる。このカメラ１０８は、例えばＵＳＢに
対応したビデオカメラ１０８とされている。
【０３２７】
また、このカメラ１０８に内蔵される固体撮像素子（図示せず）は、例えば略二百万画素などの数百万〜数千万画素のＣＭＯＳイメージセンサを有するものとされている。カメラ１０８の設計／仕様等により、ＣＭＯＳに代えて例えばＣＣＤ等が用いられてもよい。不図示の固体撮像素子の総画素数は、例えば１６２４×１２２４ピクセルとされる。また、固体撮像素子の有効画素数は、例えば１６００（水平）×１２００（垂直）ピクセルとされ、いわゆるＵＸＧＡに基づいたものとされる。また、固体撮像素子の画素サイズは、例えば３．０×３．０μｍとされ、固体撮像素子の撮像面積は、例えば４８７２×３６７２μｍとされる。
【０３２８】
また、このカメラ１０８に内蔵されるカラーフィルタ（図示せず）は、例えば「Ｂａｙｅｒ  Ｐａｔｔｅｒｎ」のＲＧＢに基づくものとされている。
【０３２９】
また、このカメラ１０８は、センサモジュール１００等を有するカメラモジュール（図示せず）を内部に備えた低コストカメラ１０８とされている。また、このカメラ１０８は、必要に応じてハーフミラー（図示せず）を内部に備える。
【０３３０】
不図示のＣＭＯＳイメージセンサ等の撮像素子、カラーフィルタ、センサモジュール１００等を有するカメラモジュールや、ハーフミラー等は、カメラ１０８を構成する略矩形箱状の筐体１１８いわゆるケース１１８内に装備される。
【０３３１】
また、このカメラ１０８は、例えばフィールドレンズ２３０を備える回動可能リング２１０や接写リング２５０を有する補助器具１２５いわゆるアダプタ１２５を備え、対象物／被写体（図示せず）の光の深度調整が可能なカメラ１０８として構成される。
【０３３２】
この撮像補助装置８は、例えばカメラ１０８が用いられて被写体とされる対象物の撮像が行われるときに、対象物の撮像を行わせやすくするカメラ１０８用の撮像補助装置８とされている。
【０３３３】
また、上記カメラ１０８に備えられる上記撮像補助装置８は、一対の発光素子１０Ｈａ，１０Ｈｂと、一対のコリメータレンズ２０Ｈａ，２０Ｈｂと、一対のロッドレンズまたはシリンドリカルレンズ２０Ｈｃ，２０Ｈｄとが、カメラ１０８のケース１１８の外側に位置する例えば２ビーム・レンズ外方式の撮像補助装置８とされている。
【０３３４】
また、上記カメラ１０８に備えられる上記撮像補助装置８は、一対の発光素子１０Ｈａ，１０Ｈｂと、一対のコリメータレンズ２０Ｈａ，２０Ｈｂと、一対のロッドレンズまたはシリンドリカルレンズ２０Ｈｃ，２０Ｈｄとを備えて構成され、一対のロッドレンズまたはシリンドリカルレンズ２０Ｈｃ，２０Ｈｄにより対象物に照射形成される一対のラインビームＬＣ，ＬＤが、カメラ１０８のモニタの略矩形画面内において斜めに直交して表示される例えば対角線直交ラインビーム方式の撮像補助装置８とされている。
【０３３５】
カメラ１０８が用いられて対象物への焦点合せ及び対象物の撮像を行わせやすくするために、このカメラ１０８用の撮像補助装置８は、コヒーレント可視光を発する一対の発光素子１０Ｈａ，１０Ｈｂと、一対の発光素子１０Ｈａ，１０Ｈｂから出射されたコヒーレント可視光を適度に屈折等させて対象物に精度よく当てやすくする一対のコリメータレンズ２０Ｈａ，２０Ｈｂと、一対のコリメータレンズ２０Ｈａ，２０Ｈｂを透過したコヒーレント可視平行光を例えば略線状のコヒーレント可視光とさせてラインビーム化されたコヒーレント可視光を対象物に精度よく当てやすくする一対のロッドレンズまたはシリンドリカルレンズ２０Ｈｃ，２０Ｈｄと、例えば一対の発光素子１０Ｈａ，１０Ｈｂの角度等
を調整させることで一対の発光素子１０Ｈａ，１０Ｈｂから出射されるコヒーレント可視光の各軸Ｌ１ａ，Ｌ１ｂの角度を自在に調整可能な一対のねじ部材などの調整部材（図示せず）とを備えて構成される。
【０３３６】
図１３に示すカメラ１０８用の撮像補助装置８が構成されることにより、一対の発光素子１０Ｈａ，１０Ｈｂから発せられるコヒーレント可視光が被写体とされる対象物に各々精度よく略線状に照射可能となる。例えば対象物に照射される可視光の対象物の深度調整いわゆる被写体深度調整などが容易に行われるカメラ１０８用の撮像補助装置８の提供が可能となる。
【０３３７】
上記カメラ１０８用の撮像補助装置８は、コヒーレント可視光を対象物に照射可能な一対のガイドポインタＰ８ａ，Ｐ８ｂを含む構成とされている。詳しく説明すると、上記カメラ１０８用の撮像補助装置８は、コヒーレント可視光により対象物の特定の位置を照射可能な一対のガイドポインタＰ８ａ，Ｐ８ｂを含む構成とされている。
【０３３８】
このようにカメラ１０８用の撮像補助装置８が構成されることにより、対象物への焦点合せ及び対象物の撮像は、比較的精度よく容易に行われる。例えばカメラ１０８に装備される撮像補助装置８は、コヒーレント可視光を対象物に照射可能とさせコヒーレント可視光により対象物の特定の位置を照射可能な一対のガイドポインタＰ８ａ，Ｐ８ｂを含む構成とされているので、各ガイドポインタＰ８ａ，Ｐ８ｂの発光素子１０Ｈａ，１０Ｈｂから出射されるコヒーレント可視光を対象物に当てることにより、対象物は、一対のガイドポインタＰ８ａ，Ｐ８ｂを含む撮像補助装置８により容易に捉えられる。
【０３３９】
撮像補助装置８を構成する一対の発光素子１０Ｈａ，１０Ｈｂとして、例えばレーザ光を出射可能なＬＤが用いられて、撮像補助装置８は、レーザ光により特定の位置を照射可能な一対のレーザポインタＰ８ａ，Ｐ８ｂを含む構成とされる。一対のレーザポインタＰ８ａ，Ｐ８ｂを含む撮像補助装置８が構成されることにより、対象物への焦点合せ及び対象物の撮像は、精度よく容易に行われる。例えばカメラ１０８に装備される撮像補助装置８は、レーザ光により特定の位置を照射可能な一対のレーザポインタＰ８ａ，Ｐ８ｂを含む構成とされているので、各レーザポインタＰ８ａ，Ｐ８ｂの発光素子１０Ｈａ，１０Ｈｂから出射されるコヒーレント可視光を対象物に当てることにより、対象物は、一対のレーザポインタＰ８ａ，Ｐ８ｂを含む撮像補助装置８により容易に捉えられる。
【０３４０】
又は、撮像補助装置８を構成する一対の発光素子１０Ｈａ，１０Ｈｂとして、例えばＬＥＤ光を出射可能なＬＥＤが用いられて、撮像補助装置８は、ＬＥＤ光により特定の位置を照射可能な一対のＬＥＤポインタＰ８ａ，Ｐ８ｂを含む構成とされる。一対のＬＥＤポインタＰ８ａ，Ｐ８ｂを含む撮像補助装置８が構成されることにより、対象物への焦点合せ及び対象物の撮像は、精度よく容易に行われる。例えばカメラ１０８に装備される撮像補助装置８は、ＬＥＤ光により特定の位置を照射可能な一対のＬＥＤポインタＰ８ａ，Ｐ８ｂを含む構成とされているので、各ＬＥＤポインタＰ８ａ，Ｐ８ｂの発光素子１０Ｈａ，１０Ｈｂから出射されるコヒーレント可視光を対象物に当てることにより、対象物は、一対のＬＥＤポインタＰ８ａ，Ｐ８ｂを含む撮像補助装置８により容易に捉えられる。
【０３４１】
カメラ１０８用の撮像補助装置８の設計／仕様等により、撮像補助装置８を構成する一対の発光素子１０Ｈａ，１０Ｈｂから出射されるコヒーレント可視光の色は、赤色、青色などの各種の色に設定可能とされる。
【０３４２】
図１３（ａ）（ｂ）の如く、上記カメラ１０８は、上記撮像補助装置８を有するものとされている。
【０３４３】
これにより、被写体とされる対象物への焦点合せ及び対象物の撮像が行われやすくされたカメラ１０８の提供が可能となる。被写体とされる対象物への焦点合せ及び対象物の撮像が行われるときに、対象物への焦点合せ及び対象物の撮像を行わせやすくする撮像補助装置８を少なくとも有するカメラ１０８が構成されることにより、対象物への焦点合せ及び対象物の撮像が容易に行われやすくなる。
【０３４４】
撮像補助装置８、一対のガイドポインタＰ８ａ，Ｐ８ｂが備えられたカメラ１０８を用いて被写体深度の調整が行われるときの設定方法について説明する。
【０３４５】
被写体とされる対象物へ撮像補助装置８を有するＣＭＯＳ／ＣＣＤカメラ１０８を向け、撮像補助装置８を構成する一対の発光素子１０Ｈａ，１０Ｈｂから出射され一対のコリメータレンズ２０Ｈａ，２０Ｈｂにより略平行光とされると共に一対のロッドレンズまたはシリンドリカルレンズ２０Ｈｃ，２０Ｈｄによりラインビーム化されたコヒーレント可視光を被写体とされる対象物に照射させ、そのときに、撮像補助装置８を手などで回動させてコヒーレント可視光の光軸角度調整を行うことで対象物に照射された可視光の深度調整を行い、これと共に、カメラ１０８に装備されたフィールドレンズ２３０を備える回動可能リング２１０等を手などで調整して、対象物へのカメラ１０８の焦点合せを行ったのちに、例えば撮像補助装置８を構成する一対の発光素子１０Ｈａ，１０Ｈｂから出射されるコヒーレント可視光を消灯させ、カメラ１０８を用いて被写体とされる対象物の撮像を行う。
【０３４６】
ＣＭＯＳ／ＣＣＤカメラ１０８を使用して対象物の像を得る場合、例えば、対象物がカメラ１０８の光軸Ｌ０、被写体深度の範囲に入るようにカメラ１０８からの出力映像を見ながらカメラ１０８の角度設定を行う。その設定を補助するのに、レーザ光／ＬＥＤ光等の光源を用いた一対のガイドポインタＰ８ａ，Ｐ８ｂを使用する。
【０３４７】
カメラ１０８を対象物に向けると共に、一対のガイドポインタＰ８ａ，Ｐ８ｂから出射されるレーザ光／ＬＥＤ光などの光を対象物に当てる。そのときに、対象物がカメラ１０８の光軸Ｌ０、被写体深度範囲にあることをカメラモニタ（図示せず）等を介して目視にて直接確認する。このときに、レーザ光／ＬＥＤ光などの光を発する一対の発光素子１０Ｈａ，１０Ｈｂの光軸Ｌ１ａ，Ｌ１ｂの仰角を手動で調整する。
【０３４８】
一対のガイドポインタＰ８ａ，Ｐ８ｂの角度調整が手動で行われる構造とされているため、ガイドポインタＰ８ａ，Ｐ８ｂを廉価で具備可能なカメラ１０８を提供することができる。
【０３４９】
上記撮像補助装置８や上記撮像補助装置８を有する上記カメラ１０８は、例えば、試験装置や、半田付け装置などの各種装置に装備されて使用されることが好ましい。
【０３５０】
また、上記カメラ１０８等の撮像装置１０８に代えて、例えば液晶プロジェクタ（１０８）等の映像装置（１０８）が用いられてもよい。そのときに、上記撮像補助装置８は映像補助装置８として用いられてもよい。詳しく説明すると、上記撮像補助装置８は、例えばカメラ１０８等の撮像装置１０８が用いられて被写体とされる対象物の撮像が行われるときに、対象物の撮像を行わせやすくする撮像補助装置８とされているが、例えば液晶プロジェクタ（１０８）等の映像装置（１０８）が用いられて不図示のスクリーン等の対象物に映像を映し出させるときに、対象物へ映像を映し出させやすくする映像補助装置８として用いられてもよい。
【０３５１】
スクリーン等の対象物へ映像補助装置８を有する液晶プロジェクタ（１０８）を向け、映像補助装置８の発光素子１０Ｈａ，１０Ｈｂから出射されコリメータレンズ２０Ｈａ，
２０Ｈｂにより略平行光とされると共に一対のロッドレンズまたはシリンドリカルレンズ２０Ｈｃ，２０Ｈｄによりラインビーム化されたコヒーレント可視光をスクリーン等の対象物に照射させ、そのときに、映像補助装置８の不図示のねじ部材等を手などで回動させてコヒーレント可視光の光軸角度調整を行うことで対象物に照射された可視光の深度調整を行い、これと共に、液晶プロジェクタ（１０８）に装備されたレンズ（２３０）を備える回動可能リング（２１０）等を手などで調整して、対象物への液晶プロジェクタ（１０８）の焦点合せを行ったのちに、例えば映像補助装置８の発光素子１０Ｈａ，１０Ｈｂから出射されるコヒーレント可視光を消灯させ、液晶プロジェクタ（１０８）を用いてスクリーン等の対象物へ映像を映し出させる。
【０３５２】
以上、本発明の実施形態について説明したが、前述した発明の実施形態は、本発明の理解を容易にするためのものであり、本発明を限定して解釈するためのものではない。本発明は、その趣旨を逸脱することなく、変更、改良され得るとともに、本発明にはその等価物も含まれる。
【図面の簡単な説明】
【０３５３】
【図１】本発明に係る撮像／映像補助装置およびそれを備える撮像／映像装置の第一の実施形態を示す説明図である。
【図２】撮像／映像補助装置を示す縦断面図である。
【図３】撮像／映像補助装置の一部を示す斜視図である。
【図４】同じく撮像／映像補助装置の一部を示す斜視図である。
【図５】撮像／映像補助装置の一部を示す分解斜視図である。
【図６】本発明に係る撮像／映像補助装置およびそれを備える撮像／映像装置の第二の実施形態を示す説明図である。
【図７】図６の撮像／映像補助装置を示す拡大断面図である。
【図８】本発明に係る撮像／映像補助装置およびそれを備える撮像／映像装置の第三の実施形態を示す説明図である。
【図９】本発明に係る撮像／映像補助装置およびそれを備える撮像／映像装置の第四の実施形態を示す説明図である。
【図１０】本発明に係る撮像／映像補助装置およびそれを備える撮像／映像装置の第五の実施形態を示す説明図である。
【図１１】本発明に係る撮像／映像補助装置およびそれを備える撮像／映像装置の第六の実施形態を示す説明図である。
【図１２】本発明に係る撮像／映像補助装置およびそれを備える撮像／映像装置の第七の実施形態を示す説明図であり、（ａ）は撮像／映像補助装置およびそれを備える撮像／映像装置を示す断面図、（ｂ）は撮像／映像補助装置およびそれを備える撮像／映像装置を示す正面図である。
【図１３】本発明に係る撮像／映像補助装置およびそれを備える撮像／映像装置の第八の実施形態を示す説明図であり、（ａ）は撮像／映像補助装置およびそれを備える撮像／映像装置を示す断面図、（ｂ）は撮像／映像補助装置およびそれを備える撮像／映像装置を示す正面図である。
【符号の説明】
【０３５４】
１，２，３，４，５，６，７，８  撮像補助装置（撮像／映像補助装置）
１０Ａ，１０Ｂ，１０Ｃ，１０Ｄａ，１０Ｄｂ，１０Ｅ，１０Ｆａ，１０Ｆｂ，１０Ｇａ，１０Ｇｂ，１０Ｈａ，１０Ｈｂ  発光素子
１１  本体
１５  端子
２０Ａ，２０Ｂ，２０Ｃ，２０Ｄａ，２０Ｄｂ，２０Ｅ，２０Ｇａ，２０Ｇｂ，２０Ｇｃ，２０Ｇｄ，２０Ｈａ，２０Ｈｂ，２０Ｈｃ，２０Ｈｄ，２２０，２２２，２３０  レ
ンズ（光学部材）
２１  第一レンズ曲面部（曲面部）
２２  第二レンズ曲面部（曲面部）
２５  周縁部
３０Ａ，３０Ｂ  光軸角度調整部（角度調整部）
４０Ａ，４０Ｂ  螺合部
５０Ａ，５０Ｂ  ねじ部材（螺合部材）
５１  先端部
５２  後端部
５４  治具穴
６０Ａ，６０Ｂ  雌ねじ部（螺合部）
７０Ａ，７０Ｂ１，７０Ｂ２  ばね（弾性部材）
７１  第一装備部（装備部）
７２  第二装備部（装備部）
７５  第三装備部（装備部）
７６  第四装備部（装備部）
８１  第一片部（片部）
８２  第二片部（片部）
８３  第三片部（片部）
８４  第四片部（片部）
８５  第五片部（片部）
９０Ａ，９０Ｂ  ボックス部（箱部）
９１  基壁
９２  側壁
９３  他の側壁（側壁）
９５  略矩形開口部（開口部）
９６  収容室（収容部）
９８  略丸孔状開口部（開口部）
１００  センサモジュール
１００Ａ，１００Ｂ  固体撮像素子
１０１，１０２，１０３，１０４，１０５，１０６，１０７，１０８  カメラ（撮像装置）
１１０  ハーフミラー（ミラー）
１１１，１１２，１１３，１１４，１１５，１１６，１１７，１１８  ケース（筐体）
１２１，１２２，１２５  アダプタ（補助器具）
２００，２０２，２１０  回動可能リング（リング）
２４０，２５０  接写リング（リング）
３００  ケーブル（電線）
Ｌ０，Ｌ１，Ｌ１１０，Ｌ１２０，Ｌ１ａ，Ｌ１ｂ，Ｌ１ｃ  光軸（軸）
ＬＡ，ＬＢ，ＬＣ、ＬＤ  ラインビーム（線状光線）
Ｌａ，Ｌｂ，Ｌｃ  被写体距離（距離）
Ｐ１，Ｐ２，Ｐ３，Ｐ４ａ，Ｐ４ｂ，Ｐ５，Ｐ６ａ，Ｐ６ｂ，Ｐ７，Ｐ８  ガイドポインタ（ポインタ）
Ｚａ，Ｚｂ，Ｚｃ  対象物
θａ，θｂ，θｃ  角度
【図１】
2009153119.tif 000003
【図２】
2009153119.tif 000004
【図３】
2009153119.tif 000005
【図４】
2009153119.tif 000006
【図５】
2009153119.tif 000007
【図６】
2009153119.tif 000008
【図７】
2009153119.tif 000009
【図８】
2009153119.tif 000010
【図９】
2009153119.tif 000011
【図１０】
2009153119.tif 000012
【図１１】
2009153119.tif 000013
【図１２】
2009153119.tif 000014
【図１３】
2009153119.tif 000015